(57)【特許請求の範囲】
【請求項１】
ワイヤレスデバイスにより実行される、
ワイヤレス伝送を受信するステップであって、前記ワイヤレス伝送が、物理層（ＰＨＹ）プリアンブルとＰＨＹデータとを含み、前記ＰＨＹプリアンブルが、宛先を示す宛先情報と、前記ワイヤレス伝送の長さを示す長さ情報とを含み、前記ＰＨＹプリアンブルが、チャネル推定用に構成された最初の部分を含み、前記宛先情報および前記長さ情報が、前記ＰＨＹプリアンブルのチャネル推定用に構成された前記最初の部分より前に位置するか、または前記ＰＨＹプリアンブルのチャネル推定用に構成された前記最初の部分に含まれる、ステップと、
前記宛先情報に基づいて、前記ワイヤレス伝送が前記ワイヤレスデバイスに宛てられたものであるか否かを判断するステップと、
前記ワイヤレス伝送が前記ワイヤレスデバイスに宛てられたものでない場合に、前記ワイヤレス伝送の残りを破棄するステップと
を含む方法。
【請求項２】
前記宛先情報および前記長さ情報が、前記ＰＨＹプリアンブルのチャネル推定用に構成された前記最初の部分より前に位置する請求項１に記載の方法。
【請求項３】
前記宛先情報および前記長さ情報が差分的に符号化され、
前記ワイヤレス伝送のチャネル推定用に構成された前記最初の部分より後ろの部分がコヒーレントに符号化される請求項２に記載の方法。
【請求項４】
前記ワイヤレス伝送がＩＥＥＥ  ８０２．１１ワイヤレス通信であり、前記ＰＨＹプリアンブルが、少なくともレガシーショートトレーニングフィールドとレガシーロングトレーニングフィールドとを含み、前記宛先情報および前記長さ情報が、前記レガシーショートトレーニングフィールドより後ろであり且つ前記レガシーロングトレーニングフィールドより前で提供される請求項１に記載の方法。
【請求項５】
前記ワイヤレス伝送の残りを破棄するステップが、前記長さ情報に基づいて、前記ワイヤレス伝送の長さにわたりスリープするかまたは低電力状態に入るステップを含む請求項１に記載の方法。
【請求項６】
前記宛先情報が、宛先デバイスの部分的な媒体アクセス制御（ＭＡＣ）アドレスまたは宛先デバイスの部分関連ＩＤ（ＰＡＩＤ）のうちの１つを含む請求項１に記載の方法。
【請求項７】
前記長さ情報が、ワイヤレス伝送の長さを１以上のバイト単位または１以上のＯＦＤＭシンボル単位で示す請求項１に記載の方法。
【請求項８】
前記ワイヤレス伝送がＩＥＥＥ  ８０２．１１ワイヤレス通信であり、前記ＰＨＹプリアンブルが、少なくともレガシーショートトレーニングフィールドとレガシーロングトレーニングフィールドとを含み、前記宛先情報および前記長さ情報が、前記レガシーロングトレーニングフィールドの一部である請求項１に記載の方法。
【請求項９】
無線機と、
前記無線機に動作可能に接続された処理要素と
を含むワイヤレスデバイスであって、前記無線機および前記処理要素が、
ワイヤレス伝送を受信し、
前記ワイヤレス伝送が、物理層（ＰＨＹ）プリアンブルとＰＨＹデータとを含み、
前記ＰＨＹプリアンブルが、宛先を示す宛先情報と、前記ワイヤレス伝送の長さを示す長さ情報とを含み、
前記ＰＨＹプリアンブルが、チャネル推定用に構成された最初の部分を含み、
前記宛先情報および前記長さ情報が、前記ＰＨＹプリアンブルのチャネル推定用に構成された前記最初の部分より前に位置するか、または前記ＰＨＹプリアンブルのチャネル推定用に構成された前記最初の部分に含まれ、
前記宛先情報に基づいて、前記ワイヤレス伝送が前記ワイヤレスデバイスに対して意図されたものであるか否かを判断し、
前記宛先情報が、前記ワイヤレス伝送が前記ワイヤレスデバイスに対して意図されたものでないことを示している場合に、前記ワイヤレス伝送の残りを破棄する
ように構成されたワイヤレスデバイス。
【請求項１０】
前記宛先情報および前記長さ情報が、前記ＰＨＹプリアンブルのチャネル推定用に構成された前記最初の部分より前に位置し、且つ差分的に符号化され、
前記ワイヤレス伝送のチャネル推定用に構成された前記最初の部分より後ろの部分が、コヒーレントに符号化される請求項９に記載のワイヤレスデバイス。
【請求項１１】
前記宛先情報および前記長さ情報が、前記ＰＨＹプリアンブルの差分的に符号化されるフィールドに含まれ、ＯＦＤＭシンボル前記宛先情報および前記長さ情報が、前記差分的に符号化されるフィールドで少なくとも２回反復される請求項９に記載のワイヤレスデバイス。
【請求項１２】
前記ワイヤレス伝送がＩＥＥＥ  ８０２．１１ワイヤレス通信であり、前記ＰＨＹプリアンブルが、少なくともレガシーショートトレーニングフィールドとレガシーロングトレーニングフィールドとを含み、前記宛先情報および前記長さ情報が、前記レガシーショートトレーニングフィールドより後ろであり且つ前記レガシーロングトレーニングフィールドより前で提供されるか、または前記レガシーロングトレーニングフィールドの一部として提供される請求項９に記載のワイヤレスデバイス。
【請求項１３】
前記無線機および前記処理要素が、
前記ＰＨＹプリアンブルの前記レガシーショートトレーニングフィールドより後ろのフィールドが、レガシーロングトレーニングフィールドであるか、または前記宛先情報と前記長さ情報とを含む低エネルギー信号フィールドであるかを判断するようにさらに構成された請求項１２に記載のワイヤレスデバイス。
【請求項１４】
前記ＰＨＹプリアンブルの前記レガシーショートトレーニングフィールドより後ろの前記フィールドがレガシーロングトレーニングフィールドであるかまたは低エネルギー信号フィールドであるかを判断するために、前記無線機および前記処理要素が、
前記レガシーショートトレーニングフィールドより後ろの前記フィールドの最初の０．８μｓのサンプルを収集し、
前記レガシーショートトレーニングフィールドより後ろの前記フィールドの前記最初の０．８μｓの次の０．８μｓとの自己相関を実行し、
前記自己相関がピークとなる場合に、前記レガシーショートトレーニングフィールドより後ろの前記フィールドがレガシーロングトレーニングフィールドであると判断し、
前記自己相関がピークとならない場合に、前記レガシーショートトレーニングフィールドより後ろの前記フィールドが低エネルギー信号フィールドであると判断する
ようにさらに構成された請求項１３に記載のワイヤレスデバイス。
【請求項１５】
前記ワイヤレス伝送の残りを破棄する際に、前記長さ情報に基づいて、前記ワイヤレス伝送の長さにわたりスリープするかまたは低電力状態に入る請求項９に記載のワイヤレスデバイス。
【請求項１６】
第１ワイヤレスデバイスにより実行される、
ワイヤレス伝送用の信号を生成するステップであって、
前記信号が物理層（ＰＨＹ）プリアンブルとＰＨＹデータとを含み、
前記ＰＨＹプリアンブルが、前記ワイヤレス伝送が意図されているデバイスを示す宛先情報と、前記ワイヤレス伝送の長さを示す長さ情報とを含み、
前記ＰＨＹプリアンブルが、チャネル推定用に構成された最初の部分を含み、
前記宛先情報および前記長さ情報が、前記ＰＨＹプリアンブルのチャネル推定用に構成された前記最初の部分より前に位置するか、または前記最初の部分に含まれるステップと、
前記信号をワイヤレスに伝送するステップと
を含む方法。
【請求項１７】
前記宛先情報および前記長さ情報が、前記ＰＨＹプリアンブルのチャネル推定用に構成された前記最初の部分より前に位置し、且つ差分的に符号化され、
前記信号のチャネル推定用に構成された前記部分より後ろの部分が、コヒーレントに符号化される請求項１６に記載の方法。
【請求項１８】
前記宛先情報が、宛先デバイスの部分関連ＩＤ（ＰＡＩＤ）を含む請求項１６に記載の方法。
【請求項１９】
前記信号がＩＥＥＥ  ８０２．１１ワイヤレス通信信号であり、前記ＰＨＹプリアンブルが、少なくともレガシーショートトレーニングフィールドとレガシーロングトレーニングフィールドとを含み、前記宛先情報および前記長さ情報が、前記レガシーショートトレーニングフィールドより後ろであり且つ前記レガシーロングトレーニングフィールドより前で提供される請求項１６に記載の方法。
【請求項２０】
前記信号がＩＥＥＥ  ８０２．１１ワイヤレス通信信号であり、前記ＰＨＹプリアンブルが、少なくともレガシーショートトレーニングフィールドとレガシーロングトレーニングフィールドとを含み、前記宛先情報および前記長さ情報が、前記レガシーロングトレーニングフィールドの一部として提供される請求項１６に記載の方法。
【発明の詳細な説明】
【技術分野】
【０００１】
優先権の主張
本出願は、２０１４年３月６日に出願した米国仮出願第６１／９４８，７５４号「Ｗｉ−Ｆｉ  Ｌｏｗ  Ｅｎｅｒｇｙ  Ｐｒｅａｍｂｌｅ  Ｆｉｅｌｄ」および２０１４年３月６日に出願した米国仮出願第６１／９４８，７５７号「Ｗｉ−Ｆｉ  Ｌｏｗ  Ｅｎｅｒｇｙ  Ｐｒｅａｍｂｌｅ  ｕｓｉｎｇ  Ｌ−ＬＴＦ  Ｆｉｅｌｄ」の優先権の利益を主張するものであり、両仮特許出願の全体を本明細書で引用により十分および完全に援用する。
【０００２】
本開示は、ＩＥＥＥ  ８０２．１１ワイヤレスシステム等のシステムで少ない電力消費および／または制御情報の早期の示唆によりワイヤレス通信を実行する手法を含む、ワイヤレス通信に関する。
【背景技術】
【０００３】
ワイヤレス通信システムは急速に普及している。加えて、多数の異なるワイヤレス通信技術および標準が存在する。ワイヤレス通信標準の例として、ＧＳＭ（登録商標）、ＵＭＴＳ（たとえば、ＷＣＤＭＡ（登録商標）またはＴＤ−ＳＣＤＭＡ無線インターフェイスに関連）、ＬＴＥ、ＬＴＥ  Ａｄｖａｎｃｅｄ（ＬＴＥ−Ａ）、ＨＳＰＡ、３ＧＰＰ２  ＣＤＭＡ２０００（１ｘＲＴＴ、１ｘＥＶ−ＤＯ、ＨＲＰＤ、ｅＨＲＰＤ等）、ＩＥＥＥ  ８０２．１１（ＷＬＡＮまたはＷｉ−Ｆｉ）、ＩＥＥＥ  ８０２．１６（ＷｉＭＡＸ）、Ｂｌｕｅｔｏｏｔｈ（登録商標）等がある。
【０００４】
そのようなワイヤレス通信技術を実装するデバイスの多くは、実質的にモバイルデバイスであり、携帯型の電源（バッテリ等）にしばしば依存している。特にそのようなデバイスにおいて、および一般的には他のデバイスにおいても、ワイヤレス通信技術の実装において電力消費を考慮することは重要であり得る。たとえば、バッテリの寿命は、ワイヤレスデバイスの選択肢における消費者の好みに影響を与える可能性がある。
【発明の概要】
【課題を解決するための手段】
【０００５】
本文書では、特に、低エネルギーなＩＥＥＥ  ８０２．１１（Ｗｉ−Ｆｉ）ワイヤレス通信のための方法について説明し、説明された方法を実装するように構成されたワイヤレスデバイスについて説明する。
【０００６】
Ｗｉ−Ｆｉ伝送は、一般的には、さまざまな物理層（ＰＨＹ）プリアンブルフィールドと、それに続くＰＨＹデータとを備えるものとして構成され得る。ＰＨＹデータは、上位層用のカプセル化されたヘッダー情報および／またはペイロードデータを含み得る。
【０００７】
Ｗｉ−Ｆｉでは、多重アクセス技術としてキャリアセンスを利用できる。この場合、Ｗｉ−Ｆｉデバイスは、他のＷｉ−Ｆｉデバイスによる伝送用のＷｉ−Ｆｉワイヤレス媒体を少なくとも一定時間監視（感知）して、その媒体がビジーであるかまたは空いているかを判断し（たとえば、上りデータがバッファされていて、媒体を上り伝送に使用しようとしている場合）、かつ／またはデバイスに対して何らかの伝送が意図されているかを判断し得る。
【０００８】
電力を節約するため、デバイスは、伝送がそのデバイスを意図したものでないことを判断し、伝送の予想される長さを判断するために必要な時間を越えて、媒体の監視に時間を費やさないことが望ましい。この判断を行った後、デバイスは伝送の残りについて低電力（スリープ）状態に入ることができる。
【０００９】
本明細書に記載された技術によると、宛先および長さ情報をＷｉ−Ｆｉ伝送のＰＨＹプリアンブル部分で早期に提供することが可能であり得る。これにより、デバイスが自らが伝送の意図された受信側であることを判断し、伝送の予定された継続時間を判断するために必要な時間が減少し、それによってデバイスが低電力状態になる時間を増やして、デバイスの電力消費を潜在的に減らすことが可能になり得る。
【００１０】
Ｗｉ−Ｆｉ伝送の宛先および長さ情報を、ＰＨＹプリアンブルのチャネル推定用に構成された部分より前に、またはその部分の一部として、含めることが可能であり得る。
【００１１】
たとえば、（現在チャネル推定に使用されている）レガシーロングトレーニング（Ｌ−ＬＴＦ：Ｌｅｇａｃｙ  Ｌｏｎｇ  Ｔｒａｉｎｉｎｇ）フィールドより前に低エネルギーシグナリング（ＬＥ−ＳＩＧ：Ｌｏｗ−Ｅｎｅｒｇｙ  Ｓｉｇｎａｌｉｎｇ）フィールドを含め、このフィールドに包含元のＷｉ−Ｆｉ伝送の宛先および長さ情報を含めることができる。そのようなフィールドは、必要に応じて差分的に符号化することができる。なぜなら、チャネル推定がなければ、コヒーレント符号化を利用するのは（少なくとも一部の事例では）難しいか、または不可能であり得るからである。
【００１２】
別の例として、Ｗｉ−Ｆｉ伝送の宛先および長さ情報は、Ｌ−ＬＴＦフィールドに含めることができる。この場合、たとえば、ＢＰＳＫ信号または９０度回転したＢＰＳＫ信号を、合計したときは追加の宛先および長さ情報がキャンセルされチャネル推定のトレーニングシーケンスが復元されるが、相互に減算されたときはチャネル推定のトレーニングシーケンスがキャンセルされ追加の宛先および長さ情報が復元されるような態様で、２つのＬ−ＬＴＦトレーニングシーケンスに追加することにより、下位互換性を維持することが可能であり得る。
【００１３】
さらに、必要であれば、Ｌ−ＬＴＦをより一般的に使用して、ＬＴＦトレーニングシーケンスの上に情報を上述した態様等で追加することにより、制御情報を早期に伝えることができる。たとえば、追加情報は、パケットの宛先、ＭＩＭＯの示唆（たとえば、ＲＦチェーンの数）、マルチユーザー（ＭＵ：Ｍｕｌｔｉ−Ｕｓｅｒ）ＭＩＭＯとシングルユーザー（ＳＵ：Ｓｉｎｇｌｅ−Ｕｓｅｒ）ＭＩＭＯのどちらかの示唆、符号化の示唆（たとえば、ＢＣＣまたはＬＤＰＣ）、帯域幅の示唆（たとえば、２０／３０／８０／１６０）、および／またはＦＦＴサイズの示唆（たとえば、６４／１２８／２５６／５１２）のいずれかまたはすべて等の任意の多様な種類の制御情報のサブフィールドを含むものとして定義され得るＬ−ＬＴＦ制御フィールドとして書式設定され得る。これにより、パケットの宛先を早期に検出することを可能にし、指定されたパラメータに応じて受信ブロックを動作させるための十分なタイミングバジェットを提供し、および／またはハードウェアの再利用（アンテナチェーン等）に備えさせることにより、受信側デバイスを支援できる。
【００１４】
本明細書に記載された手法は、携帯電話、携帯型媒体プレーヤー、携帯型ゲーム機、タブレットコンピュータ、ウェアラブルコンピュータデバイス、リモコン、ワイヤレススピーカー、セットトップボックスデバイス、テレビシステム、およびコンピュータを含むがこれらに限定されない複数の異なる種類のデバイスで実装および／または使用できる。
【００１５】
本概要は、この文書で説明される主題のいくつかを簡単に示すことを意図したものである。よって、上述した特徴は単なる例であり、本明細書に記載された主題の範囲または精神を何らかの方法で狭めるものと解釈されるべきものではないことが理解される。本明細書に記載された主題の他の特徴、態様、および利点は、以下の詳細な説明、図面、および特許請求の範囲から明らかとなる。
【００１６】
本主題のよりよい理解は、好ましい実施形態についての以下の詳細な説明を添付の図面と共に検討したときに達成され得る。
【図面の簡単な説明】
【００１７】
【図１】一部の実施形態に係る例示的な（および簡素化された）ワイヤレス通信システムを示す図である。
【図２】一部の実施形態に係る例示的な（および簡素化された）ワイヤレス通信システムを示す図である。
【図３】一部の実施形態に係る例示的なワイヤレスデバイスのブロック図である。
【図４】一部の実施形態に係るワイヤレス通信のための例示的な方法の態様を示す、信号の流れ図である。
【図５】一部の実施形態に係るワイヤレス通信のための例示的な方法の態様を示す、信号の流れ図である。
【図６】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図７】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図８】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図９】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図１０】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図１１】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図１２Ａ】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図１２Ｂ】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図１２Ｃ】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図１２Ｄ】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図１３】一部の実施形態に係る、制御情報がＷｉ−Ｆｉ伝送のＬ−ＬＴＦフィールドに含まれる図４の方法の態様を実装する考え得るシステムの例示的な実装の詳細を示す図である。
【図１４】一部の実施形態に係る、宛先および長さ情報がＷｉ−Ｆｉ伝送のＬＥ−ＳＩＧフィールドに含まれる図４の方法の態様を実装する考え得るシステムの例示的な実装の詳細を示す図である。
【図１５】一部の実施形態に係る、宛先および長さ情報がＷｉ−Ｆｉ伝送のＬＥ−ＳＩＧフィールドに含まれる図４の方法の態様を実装する考え得るシステムの例示的な実装の詳細を示す図である。
【図１６】一部の実施形態に係る、宛先および長さ情報がＷｉ−Ｆｉ伝送のＬＥ−ＳＩＧフィールドに含まれる図４の方法の態様を実装する考え得るシステムの例示的な実装の詳細を示す図である。
【図１７】一部の実施形態に係る、宛先および長さ情報がＷｉ−Ｆｉ伝送のＬＥ−ＳＩＧフィールドに含まれる図４の方法の態様を実装する考え得るシステムの例示的な実装の詳細を示す図である。
【図１８】一部の実施形態に係る、宛先および長さ情報がＷｉ−Ｆｉ伝送のＬＥ−ＳＩＧフィールドに含まれる図４の方法の態様を実装する考え得るシステムの例示的な実装の詳細を示す図である。
【図１９】一部の実施形態に係る、宛先および長さ情報がＷｉ−Ｆｉ伝送のＬＥ−ＳＩＧフィールドに含まれる図４の方法の態様を実装する考え得るシステムの例示的な実装の詳細を示す図である。
【発明を実施するための形態】
【００１８】
本明細書に記載された特徴は多様な変更および代替形式に対応するが、その具体的な実施形態を例として図面に示し、本明細書で詳細に説明する。ただし、図面およびその詳細な説明は、開示された特定の形態に限定されることを意図したものではなく、むしろ添付の特許請求の範囲によって定義される主題の精神および範囲に含まれるすべての変更、等価物、および代替物を網羅することを意図したものであることを理解する必要がある。
【００１９】
用語
以下は、本開示で使用される用語の用語集である。
【００２０】
メモリ媒体−任意の多様な種類の持続性コンピュータアクセス可能メモリデバイスまたはストレージデバイス。「メモリ媒体」という用語は、ＣＤ−ＲＯＭ、フロッピー（登録商標）ディスク、テープデバイス等のインストール媒体と、ＤＲＡＭ、ＤＤＲ  ＲＡＭ、ＳＲＡＭ、ＥＤＯ  ＲＡＭ、Ｒａｍｂｕｓ  ＲＡＭ等のコンピュータシステムメモリまたはランダムアクセスメモリと、フラッシュ、ハードドライブなどの磁気媒体、または光学ストレージ等の不揮発性メモリと、レジスタまたは他の類似する種類のメモリ要素とを含むことを意図している。メモリ媒体は、他の種類の持続性メモリおよびそれらの組み合わせを含み得る。加えて、メモリ媒体は、プログラムが実行される第１のコンピュータシステムに配置されていても、またはインターネット等のネットワークを介して第１のコンピュータシステムに接続する第２の異なるコンピュータシステムに配置されていてもよい。後者の場合、第２のコンピュータシステムは、プログラム命令を第１のコンピュータに提供して実行し得る。「メモリ媒体」という用語は、ネットワークを介して接続された異なるコンピュータシステム等の異なる場所に存在し得る２つ以上のメモリ媒体を含み得る。メモリ媒体は、１つまたは複数のプロセッサにより実行され得る（たとえば、コンピュータプログラムとして実現された）プログラム命令を格納できる。
【００２１】
キャリア媒体−上述したメモリ媒体、ならびに電気的、電磁的、またはデジタル的な信号等の信号を伝達するバス、ネットワーク、および／または他の物理伝送媒体等の物理伝送媒体。
【００２２】
プログラム可能ハードウェア要素−プログラム可能な相互接続を介して接続された複数のプログラム可能機能ブロックを備えた多様なハードウェアデバイスを含む。例として、ＦＰＧＡ（フィールドプログラム可能ゲートアレイ）、ＰＬＤ（プログラム可能論理デバイス）、ＦＰＯＡ（フィールドプログラム可能オブジェクトアレイ）、およびＣＰＬＤ（複合ＰＬＤ）がある。プログラム可能機能ブロックは、細粒なもの（組み合わせロジックまたは参照テーブル）から粗粒なもの（算術論理ユニットまたはプロセッサコア）までを含み得る。プログラム可能ハードウェア要素は、「再構成可能ロジック」とも呼ばれ得る。
【００２３】
コンピュータシステム−パーソナルコンピュータシステム（ＰＣ）、汎用コンピュータシステム、ワークステーション、ネットワークアプライアンス、インターネットアプライアンス、携帯情報端末（ＰＤＡ：Ｐｅｒｓｏｎａｌ  Ｄｉｇｉｔａｌ  Ａｓｓｉｓｔａｎｔ）、個人用通信デバイス、スマートフォン、テレビシステム、グリッドコンピューティングシステム、またはその他のデバイスもしくはデバイスの組み合わせを含む、任意の多様な種類のコンピューティングシステムまたは処理システム。一般に、「コンピュータシステム」という用語は、メモリ媒体から命令を実行する少なくとも１つのプロセッサを備えた任意のデバイス（またはデバイスの組み合わせ）を含むように広く定義され得る。
【００２４】
ステーション（ＳＴＡ）−機動性または携帯性を備え、ワイヤレス通信を実行する、任意の多様な種類のコンピュータシステムデバイス。ＳＴＡの例として、携帯電話またはスマートフォン（たとえば、ｉＰｈｏｎｅ（商標）、Ａｎｄｒｏｉｄ（商標）ベースの電話）、携帯型ゲーム機（たとえば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ノートパソコン、ウェアラブルデバイス（たとえば、スマートウォッチ、スマートグラス）、ＰＤＡ、携帯型インターネットデバイス、音楽プレーヤー、データストレージデバイス、または他のハンドヘルドデバイス等がある。一般に、「ＵＥ」または「ＵＥデバイス」という用語は、ユーザーによって容易に持ち運ばれ、ワイヤレス通信に対応している、任意の電子的デバイス、コンピューティングデバイス、および／または電気通信デバイス（またはデバイスの組み合わせ）を含むものとして広く定義され得る。
【００２５】
基地局またはアクセスポイント（ＡＰ：Ａｃｃｅｓｓ  Ｐｏｉｎｔ）−「基地局」という用語は、この用語の通常の意味全体を備え、固定位置に設置されワイヤレス電話システムまたは無線システムの一部として通信に使用されるワイヤレス通信ステーションを少なくとも含む。
【００２６】
処理要素−さまざまな要素または要素の組み合わせを示す。処理要素は、たとえば、ＡＳＩＣ（特定用途向け集積回路）等の回路、個別のプロセッサコアの一部または回路、プロセッサコア全体、個別のプロセッサ、フィールドプログラム可能ゲートアレイ（ＦＰＧＡ：Ｆｉｅｌｄ  Ｐｒｏｇｒａｍｍａｂｌｅ  Ｇａｔｅ  Ａｒｒａｙ）等のプログラム可能ハードウェアデバイス、および／または複数のプロセッサを含むシステムのより大きい部分を含む。
【００２７】
自動的−動作または操作を直接的に指定または実行するユーザー入力なしで、コンピュータシステム（たとえば、コンピュータシステムによって実行されるソフトウェア）またはデバイス（たとえば、回路構成、プログラム可能ハードウェア要素、ＡＳＩＣ等）により実行される動作または操作を示す。よって、「自動的」という用語は、ユーザーが入力を提供して操作を直接実行するかたちで、ユーザーにより手動で実行または指定される操作と対比される。ユーザーによって提供される入力により自動手続きが開始されることはあるが、その後の「自動的」に実行される動作は、ユーザーによって指定されず、すなわちユーザーが実行する各動作を指定するかたちで「手動で」実行されるわけではない。たとえば、各フィールドを選択し、情報を指定する入力を提供する（たとえば、情報を入力すること、チェックボックスやラジオボタンを選択すること等により）ことで電子フォームに入力するユーザーは、コンピュータシステムがユーザーの動作に応じてフォームを更新する必要があるとはいえ、フォームに手動で入力している。このフォームは、コンピュータシステム（たとえば、コンピュータシステムで実行されるソフトウェア）がフォームのフィールドを分析し、フィールドへの回答を指定するユーザー入力なしでフォームに入力するかたちで、コンピュータシステムにより自動的に入力することもできる。上述したように、ユーザーはフォームの自動入力を開始することはあっても、フォームへの実際の入力には関与しない（たとえば、ユーザーがフィールドへの回答を手動で指定するのではなく、フィールドは自動的に入力される）。本明細書では、ユーザーが実行した動作に応じて自動的に実行される操作のさまざまな例を提供する。
【００２８】
ＰＨＹレートまたはＰＨＹデータレート−デバイスが媒体を介して相互に通信するレート。多くのワイヤレス通信技術（ＩＥＥＥ  ８０２．１１を含む）では、変調形式、符号化レート、空間ストリームの数、チャネル幅、および／またはその他の物理層特性のさまざまな組み合わせを使用できる。そのような組み合わせのそれぞれが、「ＰＨＹレート」となり得る（場合によっては、そのように呼ばれ得る）。特定のＰＨＹレートとなる物理層特性の組み合わせは、「変調および符号化スキーム」、「ＭＣＳ」、または「ＭＣＳインデックス」とも呼ばれ得る。ＰＨＹレート／ＭＣＳインデックスが「低い」か、または「堅牢性が高い」ほうが、ＰＨＹレートが「高い」か、または「堅牢性が低い」よりも、受信側が潜在的なスループットをしばしば犠牲にして、（たとえば、低密度変調スキームを使用することにより、および／またはエラー補正符号化情報の比率を増やすことにより）理想的でない媒体条件の下で通信される情報を正常に受信する能力は高くなり得る。これに対し、ＰＨＹレートが高いか、または堅牢性が低いと、ＰＨＹレートが低い場合よりも（たとえば、高密度変調スキームを使用することにより、および／またはエラー修正符号化情報の比率を減らすことにより）媒体をより効率的に使用でき、スループットが高まり得るが、理想的でない媒体条件の下での受信は難しくなり得る。
【００２９】
ＩＥＥＥ  ８０２．１１−８０２．１１ａ、８０２．１１．ｂ、８０２．１１ｇ、８０２．１１ｎ、８０２．１１−２０１２、８０２．１１ａｃ、および／または他のＩＥＥＥ  ８０２．１１標準等のＩＥＥＥ  ８０２．１１ワイヤレス標準に基づく技術を示す。ＩＥＥＥ  ８０２．１１技術は、「Ｗｉ−Ｆｉ」または「ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）」技術とも呼ばれる。
【００３０】
図１〜２−通信システム
図１は、一部の実施形態に係る例示的な（および簡素化された）ワイヤレス通信システム１００を示す。なお、図１のシステム１００は考え得るシステムの単なる一例であり、必要に応じて実施形態を任意の多様なシステムで実装できる。たとえば、図１に示されている例示的なワイヤレス通信システム１００は４つのワイヤレスデバイスを含むものとして示されているが、本開示の態様はワイヤレスデバイスの数を増やすかまたは減らした（すなわち、任意の数にした）ワイヤレス通信システムで実装され得ることに留意されたい。
【００３１】
図示されているように、例示的なワイヤレス通信システム１００は、伝送媒体を介して通信する複数のワイヤレスデバイス１０２〜１０８を含む。これらのワイヤレスデバイスの一部またはすべては、実質的にモバイルデバイス（「ステーション」または「ＳＴＡ」）であり得る。代替または追加で、これらのワイヤレスデバイスの一部またはすべては、実質的に据置型であり得る。
【００３２】
ワイヤレスデバイス１０２〜１０８は、ワイヤレスネットワークを形成する態様で、ワイヤレス伝送媒体を介して通信できる。ワイヤレスネットワークは、専用のアクセスポイント（たとえば、ワイヤレスデバイス１０２）によって提供されるＩＥＥＥ  ８０２．１１の「インフラストラクチャモード」ネットワークであり得る。代替で、ワイヤレスネットワークは、「アドホック」またはピアツーピアベースのネットワークであり得る。ワイヤレスネットワークが１つまたは複数の「隠しノード」を含む可能性があることに注目されたい。たとえば、図示されているように、ワイヤレスデバイス１０８は、ワイヤレスデバイス１０２の通信範囲に含まれ得るが、ワイヤレス１０４および１０６を検出できない（および／またはそれらのデバイスにより検出されない）可能性がある。ワイヤレスデバイス１０２〜１０８は、本開示の態様に応じて、低エネルギーのＩＥＥＥ  ８０２．１１ワイヤレス通信を実行するように構成され得る。
【００３３】
１つまたは複数のワイヤレスデバイスは、１つまたは複数の外部ネットワークと通信する能力を備え得る。たとえば、図示されているように、ワイヤレスデバイス１０２はネットワーク１００と通信可能に連結され得る。外部ネットワークは、多様な可能性のうち、携帯電話サービス事業者のコアネットワーク（たとえば、携帯電話基地局を経由）、インターネット、組織のイントラネットなど、任意の多様な種類のネットワークであり得る。
【００３４】
ワイヤレスデバイス１０２〜１０８の１つまたは複数が、複数のワイヤレス通信標準を使用して通信し得ることに注目されたい。たとえば、ワイヤレスデバイス１０２〜１０８の１つまたは複数は、少なくとも１つのワイヤレスネットワークプロトコル（たとえば、Ｗｉ−Ｆｉ）および／またはピアツーピアワイヤレス通信プロトコル（たとえば、ＢＴ、Ｗｉ−Ｆｉ、ピアツーピア等）と、少なくとも１つのセルラー通信プロトコル（たとえば、ＧＳＭ（登録商標）、ＵＭＴＳ、ＬＴＥ、ＬＴＥ−Ａｄｖａｎｃｅｄ（ＬＴＥ−Ａ）、３ＧＰＰ２  ＣＤＭＡ２０００（たとえば、１ｘＲＴＴ、１ｘＥＶ−ＤＯ、ＨＲＰＤ、ｅＨＲＰＤ）等）とを使用して通信するように構成され得る。必要に応じて、ワイヤレスデバイス１０２〜１０８のいずれかまたはすべては、さらに、または代替で、１つまたは複数の全地球航行衛星システム（ＧＮＳＳ、たとえばＧＰＳまたはＧＬＯＮＡＳＳ）、１つまたは複数のモバイルテレビ放送標準（たとえば、ＡＴＳＣ−Ｍ／ＨまたはＤＶＢ−Ｈ）、および／または他の任意のワイヤレス通信プロトコルを使用して通信するように構成され得る。ワイヤレス通信標準の他の組み合わせ（３つ以上のワイヤレス通信標準を含む）も可能である。
【００３５】
ワイヤレスデバイス１０２〜１０８のいずれかまたはすべては、本明細書に記載された任意の方法実施形態または本明細書に記載された任意の方法実施形態の任意の部分を実行するように構成され得る。
【００３６】
図２は、一部の実施形態に係る、１つの考え得る実装による図１のシステム１００の態様が表された例示的なワイヤレス通信システム２００を示す。見てわかるように、図示されたシステムでは、ワイヤレスデバイス１０６がモバイルステーション（ＳＴＡ）１０６であり得り、ワイヤレスデバイス１０２がアクセスポイント１０２（「ＡＰ」とも呼ばれ、代替で「ベースステーション」または「ＢＳ」とも呼ばれる）であり得る。ＳＴＡ１０６は、携帯電話、ハンドヘルドデバイス、ウェアラブルデバイス、コンピュータ、またはタブレット等のＷｉ−Ｆｉ通信機能を備えたユーザーデバイスであるか、または事実上任意の種類のワイヤレスデバイスであり得る。ＡＰ１０２は、ワイヤレスルータまたは他のワイヤレスアクセスポイント等のＷｉ−Ｆｉ通信機能を備えたアクセスポイントデバイスであり得る。
【００３７】
ＡＰ１０２およびＳＴＡ１０６のいずれかまたは両方は、メモリに格納されたプログラム命令を実行するように構成されたプロセッサを含み得る。ＡＰ１０２およびＳＴＡ１０６のいずれかまたは両方は、そのような格納された命令を実行することにより、本明細書に記載された任意の方法実施形態を実行し得る。代替または追加で、本明細書に記載された任意の方法実施形態または本明細書に記載された任意の方法実施形態の任意の部分を実行するように構成されたＦＰＧＡ（フィールドプログラム可能ゲートアレイ）等のプログラム可能ハードウェア要素が、ＡＰ１０２および／またはＳＴＡ１０６の一部として含まれ得る。
【００３８】
図３−ワイヤレスデバイスの例示的なブロック図
図３は、一部の実施形態に係る、本開示のさまざまな態様と組み合わせて使用するように構成可能なワイヤレスデバイス３００の例示的なブロック図である。デバイス３００は、さまざまな種類のデバイスのいずれであってもよく、さまざまな種類の機能のいずれかを実行するように構成され得る。たとえば、デバイス３００は、携帯電話、個人用生産性デバイス、コンピュータまたはタブレット、ハンドヘルドゲーム機、携帯型媒体プレーヤーなど、実質的に携帯型のデバイス（モバイルデバイス）であり得る。代替で、デバイス３００は、必要に応じて、テレビ、サブウーファ、スピーカ、またはその他の音声レンダリングデバイス、ワイヤレスアクセスポイント、セットトップボックスなど、実質的に据置型のデバイスであり得る。
【００３９】
図示されているように、デバイス３００は、処理要素３０４を含み得る。処理要素３０４は、メモリ３０２等の１つまたは複数のローカルメモリ要素および／またはシステムメモリ要素を含むか、またはそれらのメモリ要素に接続され得る。メモリ３０２は、任意の多様な種類のメモリを含み得り、任意の多様な機能を担い得る。たとえば、メモリ３０２は、処理要素３０４に対するシステムメモリとしての役割を担うＲＡＭであり得る。その他の種類のメモリおよび機能も考えられる。
【００４０】
デバイス３００は、ワイヤレス通信回路３０６も含み得る。ワイヤレス通信回路３０６は、アナログおよび／またはデジタルの回路部品を含み得り、代替で「無線機」とも呼ばれ得る。一般に、無線機は、ベースバンドプロセッサ、アナログＲＦ信号処理回路（たとえば、フィルタ、ミキサー、発振器、増幅器等を含む）、またはデジタル処理回路（たとえば、デジタル変調およびその他のデジタル処理用）の任意の組み合わせを含み得る。同様に、無線機は、上述したハードウェアを使用して、１つまたは複数の受信チェーンおよび伝送チェーンを実装し得る。たとえば、ワイヤレスデバイス３００は、上述したワイヤレス通信技術等の複数のワイヤレス通信技術の間で、受信および／または伝送チェーンの１つまたは複数の部分を共有し得る。ワイヤレス通信回路は、１つまたは複数のアンテナ３０８を含み、またはそれらに接続され得る。
【００４１】
必要に応じて、ワイヤレス通信回路３０６は、処理要素３０４に加えて個別の処理要素を含み得ることに注目されたい。たとえば、処理要素３０４は「アプリケーションプロセッサ」であり得り、ワイヤレス通信回路３０６は独自の「ベースバンドプロセッサ」を含み得る。代替で（または追加で）、処理要素３０４はワイヤレス通信回路３０６の処理能力を提供し得る。デバイス３００は、ワイヤレス通信回路３０６およびアンテナ３０８を介して、さまざまなワイヤレス通信技術のいずれかを使用して通信を行う能力を備え得る。
【００４２】
デバイス３００は、デバイス３００の意図された機能に応じて、デバイスの機能を実装するための任意の多様な他の構成要素（図示せず）をさらに含み得る。これらの構成要素には、追加の処理要素および／またはメモリ要素、１つまたは複数の電源要素（バッテリ電源および／または外部電源に依存し得る）、ユーザーインターフェイス要素（たとえば、ディスプレイ、スピーカ、マイク、カメラ、キーボード、マウス、タッチスクリーン等）、追加の通信要素（たとえば、ワイヤレス通信用のアンテナ、ワイヤード通信用のＩ／Ｏポート、通信回路／コントローラ等）、および／または任意の多様な他の構成要素が含まれ得る。
【００４３】
処理要素３０４、メモリ３０２、ワイヤレス通信回路３０６、アンテナ３０８等のデバイス３００の構成要素は、１つまたは複数のチップ内またはチップ間相互接続インターフェイスを通じて、動作可能に接続され得る。これらのインターフェイスには、任意の多様な種類のインターフェイスが含まれ得り、複数の種類のインターフェイスの組み合わせが含まれる可能性がある。一例として、ＵＳＢ高速チップ間（ＨＳＩＣ）インターフェイスが、処理要素３０４とワイヤレス通信回路３０６との間のチップ間通信のために提供され得る。代替で（または追加で）、汎用非同期受信伝送機（ＵＡＲＴ）インターフェイス、シリアル周辺機器インターフェイス（ＳＰＩ）、集積回路間通信（Ｉ２Ｃ）、システム管理バス（ＳＭＢｕｓ）、および／または任意の多様な他の通信インターフェイスを、処理要素３０４、メモリ３０２、ワイヤレス通信回路３０６、および／または任意の多様な他のデバイス構成要素の間の通信に使用できる。その他の種類のインターフェイス（たとえば、デバイス３００の内部または外部の周辺構成要素との通信のための周辺インターフェイス）も、デバイス３００の一部として提供され得る。
【００４４】
本明細書で説明されているように、デバイス３００は、低エネルギーのＩＥＥＥ  ８０２．１１ワイヤレス通信を実行するための特徴を実装するためのハードウェア構成要素およびソフトウェア構成要素を含み得る。これらの要素は、特に図４に関連して本明細書で説明されている要素等である。
【００４５】
図４〜５−通信の流れ図
図４は、一部の実施形態に係る、ＩＥＥＥ  ８０２．１１ワイヤレス通信システム等のワイヤレス通信システムでワイヤレス通信を行うために使用され得るスキームを示す通信／信号の流れ図である。このスキームは、詳細にはシステムのデバイスが特定の伝送（たとえば、物理層パケット）がそのデバイスに対して意図されたものであるか否かと、その伝送の長さとを迅速に判断できるようにすることにより、ワイヤレス通信システムのデバイスの電力消費を減らすために使用され得る。たとえば、自らが意図された宛先ではないとデバイスが判断した場合、そのデバイスは、伝送の残りを破棄し、伝送の残りの長さにわたって低電力状態（たとえば、スリープ）に入り、それによって電力消費を可能な限り回避することができる。
【００４６】
図４に示す方法は、他のデバイスの中でも特に、上述した図面に示された任意のコンピュータシステムまたはデバイスと組み合わせて使用できる。図示された一部の方法要素は、同時に実行するか、図示された順序と異なる順序で実行するか、または省略することができる。また、追加および／または代替の方法要素も必要に応じて実行できる。図示されているように、方法は次のように動作し得る。
【００４７】
第１ワイヤレスデバイス４０２は、ワイヤレス伝送４１０（「第１ワイヤレス伝送」）を実行し得る。第１ワイヤレス伝送は、必要に応じて、任意の多様なワイヤレス通信技術および／または標準に従って実行され得る。１つの具体的な可能性として、第１ワイヤレス伝送は、ＩＥＥＥ  ８０２．１１（Ｗｉ−Ｆｉ）伝送であり得る。
【００４８】
第１ワイヤレス伝送４１０は、物理層（ＰＨＹ）プリアンブルおよび信号情報と、ＰＨＹデータとを含み得る。ＰＨＹデータは、たとえば実行されている第１ワイヤレス伝送に関連する通信標準および／または技術に応じて、考え得る任意の多様なネットワーク層、アプリケーション層、および／または他のプロトコルスタック層のためのカプセル化された上位層データを含み得る。
【００４９】
ＰＨＹプリアンブルおよび信号情報は、第１ワイヤレス伝送を受信できるデバイスによるキャリアセンスと第１ワイヤレス伝送の物理層認知および復号とを簡素化し得り、任意の多様な所望の機能のための部分を含み得る。たとえば、ＰＨＹプリアンブルおよび信号情報は、信号／パケット検知、利得制御（たとえば、自動利得制御（ＡＧＣ：Ａｕｔｏｍａｔｉｃ  Ｇａｉｎ  Ｃｏｎｔｒｏｌ））、粗および／もしくは密周波数オフセット推定および補正、粗および／もしくは密タイミング推定、チャネル推定、変調スキームおよび／もしくは符号化レート情報、伝送長さ、伝送宛先、ならびに／または任意の多様な他の情報のいずれかまたはすべてのために構成された部分を含み得る。
【００５０】
たとえば、第１ワイヤレス伝送がＷｉ−Ｆｉ伝送である例示的な事例では、ＰＨＹプリアンブルは、Ｗｉ−Ｆｉ伝送のバージョン（たとえば、８０２．１１ｎ、８０２．１１ａｃ等）に応じて、レガシーショートトレーニングフィールド（Ｌ−ＳＴＦ：Ｌｅｇａｃｙ  Ｓｈｏｒｔ  Ｔｒａｉｎｉｎｇ  Ｆｉｅｌｄ）、レガシーロングトレーニングフィールド（Ｌ−ＬＴＦ：Ｌｅｇａｃｙ  Ｌｏｎｇ  Ｔｒａｉｎｉｎｇ  Ｆｉｅｌｄ）、レガシー信号フィールド（Ｌ−ＳＩＧ：Ｌｅｇａｃｙ  Ｓｉｇｎａｌ  Ｆｉｅｌｄ）のいずれかまたはすべて、さらには１つまたは複数の「高スループット」（ＨＴ：Ｈｉｇｈ  Ｔｈｒｏｕｇｈｐｕｔ）および／または「超高スループット」（ＶＨＴ：Ｖｅｒｙ  Ｈｉｇｈ  Ｔｈｒｏｕｇｈｐｕｔ）のショートトレーニングフィールド、ロングトレーニングフィールド、および／または信号フィールドを含み得る。
【００５１】
図示されているように、第１ワイヤレス伝送４１０の少なくとも一部は、第２ワイヤレスデバイス４０４によって受信され得る。４１２で、第２ワイヤレスデバイス４０４は、たとえばＰＨＹプリアンブルに含まれている宛先情報に基づいて、第１ワイヤレス伝送４１０の意図された宛先を判断し得る。
【００５２】
４１４で、第１ワイヤレス伝送が（たとえば、宛先情報によって示される）第１ワイヤレス伝送の意図された宛先でない場合、第２ワイヤレスデバイス４０４は、第１ワイヤレス伝送の残りを破棄できる。たとえば、第２ワイヤレスデバイス４０４は、第１ワイヤレス伝送４１０が第２ワイヤレスデバイス４０４に宛てられたものではないと判断した後、受信チェーンを使用した受信および復号を中止し、伝送の残りは「スリープ」するか、または低電力状態に入る（たとえば、一部またはすべての無線構成要素の電源を切る）ことができる。第２ワイヤレスデバイス４０４がスリープする期間は、ＰＨＹプリアンブルで提供される長さ情報に基づいて判断され得る。
【００５３】
少なくとも一部の事例では、第１ワイヤレス伝送４１０の宛先および長さ情報は、第１ワイヤレス伝送４１０に早期に含まれ得る。たとえば、１つの可能性として、第１ワイヤレス伝送４１０がＷｉ−Ｆｉ伝送である例示的な事例を再び参照すると、宛先および長さ情報は、Ｌ−ＬＴＦの一部として提供され得る。
【００５４】
Ｌ−ＬＴＦはまた、チャネル推定の目的でも使用され得る。たとえば、Ｌ−ＬＴＦは、バイナリ位相シフトキーイング（ＢＰＳＫ：Ｂｉｎａｒｙ  Ｐｈａｓｅ  Ｓｈｉｆｔ  Ｋｅｙｉｎｇ）を使用して変調される可能性がある既知のトレーニングシーケンスを含み得る。Ｌ−ＬＴＦフィールドの一部として宛先および長さ情報も含めるために、追加のＢＰＳＫ変調がトレーニングシーケンスの上で実行され得る。追加情報を提供するための追加のＢＰＳＫ変調は、考え得る選択肢の中でも特に、ＢＰＳＫトレーニングシーケンスの上でのＢＰＳＫ変調の実行、またはＢＰＳＫトレーニングシーケンスへの９０度回転したＢＰＳＫ信号の追加を含み得る。
【００５５】
別の例として、１つの可能性として、第１ワイヤレス伝送４１０がＷｉ−Ｆｉである例示的な事例を再び参照すると、宛先および長さ情報は、第１ワイヤレス伝送４１０のＬ−ＳＴＦより後ろであり且つＬ−ＬＴＦより前に含まれ得る「低エネルギー信号」または「ＬＥ−ＳＩＧ」フィールド（たとえば、新しいフィールド）で提供され得る。
【００５６】
この例示的な事例では、受信側のデバイスは、宛先および長さ情報の受信時に、チャネル推定（たとえば、Ｌ−ＬＴＦに基づき得る）をまだ実行していない可能性がある。よって、受信側のデバイスが宛先および長さ情報を適切に復号できるように、少なくとも一部の事例では、ＬＥ−ＳＩＧフィールドは差分的に符号化され得る。これは、コヒーレントに符号化され得る第１ワイヤレス伝送４１０の後続部分（たとえば、Ｌ−ＬＴＦより後ろ等の、チャネル推定より後ろの部分）と対照的であり得る。
【００５７】
本明細書で上述したように、第１ワイヤレス伝送４１０の意図された宛先ではないデバイスは、当該伝送がそのデバイスに対するものでないと判断できた直後に、伝送の残りを破棄し、スリープすることができる。よって、特定の伝送の宛先および長さ情報が早く提供されるほど、その伝送の宛先でない各デバイスは低電力状態に早く戻り、ワイヤレス通信システムの伝送スケジュールとの同期を維持しつつ（よってそのデバイスに対して意図されている可能性がある次回の伝送に対して適時な態様で起動できる状態を維持しつつ）それ以上の不要な電力消費を回避することができる。
【００５８】
したがって、宛先および長さ情報を第１ワイヤレス伝送４１０に合理的に可能な限り早く含めることで、ワイヤレス通信システムのデバイスの比較的電力効率に優れた動作が実現する。これは、ワイヤレス通信システムのデバイスの数が増えた場合は特にそうである。なぜなら、システムのデバイスの数が増えるにつれ、それぞれのデバイスを宛先としない伝送の割合は増加し得るからである。言い換えると、デバイスが特定の伝送の意図された受信側でない場合に電力消費を軽減する手法（たとえば、本明細書に記載された方法）の電力消費軽減効果は、ワイヤレス通信システムのデバイスの数が増えるにつれ、比例的に大きくなり得る。
【００５９】
図５は、一部の実施形態に係る、ＩＥＥＥ  ８０２．１１ワイヤレス通信システム等のワイヤレス通信システムでワイヤレス通信を実行するために使用され得るスキームを示す通信／信号の流れ図である。このスキームは、ＰＨＹプリアンブルのＬ−ＬＴＦフィールドを利用して、制御信号／情報の早期示唆を提供するために使用され得る。これにより、たとえばパケットが宛てられているデバイスに受信ブロックの動作を準備させるための追加のタイミングバジェットを提供することにより、デバイスの受信動作効率が向上し得る。
【００６０】
図５に示す方法は、他のデバイスの中でも特に、上述した図面に示された任意のコンピュータシステムまたはデバイスと組み合わせて使用され得る。図示された方法要素の一部は、同時に実行されるか、図示された順序とは異なる順序で実行されるか、または省略され得る。必要に応じて、追加の方法要素も実行され得る。図示されているように、方法は次のように動作し得る。
【００６１】
第１ワイヤレスデバイス５０２は、ワイヤレス伝送５１０（「第１ワイヤレス伝送」）を実行し得る。第１ワイヤレス伝送は、必要に応じて、任意の多様なワイヤレス通信技術および／または標準に従って実行され得る。１つの具体的な可能性として、第１ワイヤレス伝送は、ＩＥＥＥ  ８０２．１１（Ｗｉ−Ｆｉ）伝送であり得る。
【００６２】
図４の第１ワイヤレス伝送４１０と同様に、第１ワイヤレス伝送５１０は、物理層（ＰＨＹ）プリアンブルおよび信号情報と、ＰＨＹデータとを含み得る。ＰＨＹデータは、たとえば実行されている第１ワイヤレス伝送に関連する通信標準および／または技術に応じて、考え得る任意の多様なネットワーク層、アプリケーション層、および／または他のプロトコルスタック層のためのカプセル化された上位層データを含み得る。
【００６３】
ＰＨＹプリアンブルおよび信号情報は、第１ワイヤレス伝送を受信できるデバイスによるキャリアセンスと第１ワイヤレス伝送の物理層認知および復号とを簡素化でき、任意の多様な所望の機能のための部分を含み得る。たとえば、ＰＨＹプリアンブルおよび信号情報は、信号／パケット検知、利得制御（たとえば、自動利得制御（ＡＧＣ））、粗および／もしくは密周波数オフセット推定および修正、粗および／もしくは密タイミング推定、チャネル推定、変調スキームおよび／もしくは符号化レート情報、伝送長さ、伝送宛先、ならびに／または任意の多様な他の情報のいずれかまたはすべてのために構成された部分を含み得る。詳細には、第１ワイヤレス伝送５１０がＷｉ−Ｆｉ伝送である例示的な事例では、ＰＨＹプリアンブルは、Ｗｉ−Ｆｉ伝送のバージョン（たとえば、８０２．１１ｎ、８０２．１１ａｃ等）に応じて、レガシーショートトレーニングフィールド（Ｌ−ＳＴＦ）、レガシーロングトレーニングフィールド（Ｌ−ＬＴＦ）、レガシー信号フィールド（Ｌ−ＳＩＧ）のいずれかまたはすべて、さらには１つまたは複数の「高スループット」（ＨＴ）および／または「超高スループット」（ＶＨＴ）のショートトレーニングフィールド、ロングトレーニングフィールド、および／または信号フィールドを含み得る。
【００６４】
図示されているように、第１ワイヤレス伝送５１０の少なくとも一部は、第２ワイヤレスデバイス５０４によって受信され得る。５１２で、第２ワイヤレスデバイス４０４は、Ｌ−ＬＴＦフィールドから、第１ワイヤレス伝送５１０の制御情報を判断し得る。この制御情報は、多様な実施形態に応じて、考え得る任意の多様な種類の情報を含み得る。１つの可能性として（たとえば、図４に関連して可能性として示したように）、Ｌ−ＬＴＦフィールドは、第１ワイヤレス伝送５１０の宛先および長さを示す制御情報を含み得る。さらなる（追加または代替の）可能性として、Ｌ−ＬＴＦフィールドは、第１ワイヤレス伝送５１０で使用する受信側動作パラメータを示す制御信号を含み得る。これには、ＭＩＭＯの示唆（たとえば、使用するＲＦチェーンの数、および／またはシングルユーザー（ＳＵ−）ＭＩＭＯとマルチユーザー（ＭＵ−）ＭＩＭＯのどちらを使用するか）、符号化の示唆（たとえば、バイナリ畳み込み符号化（ＢＣＣ：Ｂｉｎａｒｙ  Ｃｏｎｖｏｌｕｔｉｏｎａｌ  Ｃｏｄｉｎｇ）、または低密度パリティ検査（ＬＤＰＣ：Ｌｏｗ−Ｄｅｎｓｉｔｙ  Ｐａｒｉｔｙ−Ｃｈｅｃｋ）符号化等のどの種類の符号化を使用するか）、帯域幅の示唆（たとえば、どの程度の帯域幅を第１ワイヤレス伝送５１０に使用するか）、高速フーリエ変換（ＦＦＴ：Ｆａｓｔ  Ｆｏｕｒｉｅｒ  Ｔｒａｎｓｆｏｒｍ）のサイズ示唆（たとえば、第１ワイヤレス伝送５１０に使用されるＦＦＴブロックのサイズ）、および／または第１ワイヤレス伝送５１０の任意の多様な他の考え得る種類の制御情報のいずれかまたはすべてが含まれる。
【００６５】
制御情報は、Ｌ−ＬＴＦフィールドのチャネル推定トレーニングシーケンスに重ねられ得る。たとえば、ＢＰＳＫトレーニングシーケンスの上でＢＰＳＫ変調を実行したり、ＢＰＳＫトレーニングシーケンスに９０度回転したＢＰＳＫ信号を追加したりすることにより、トレーニングシーケンスの上で追加のＢＰＳＫ変調が実行され得る。結果として、制御情報は、たとえばＬ−ＬＴＦフィールドの構成方法に応じて、第２ワイヤレスデバイス５０４によりＬ−ＬＴＦフィールドから任意の多様な方法で判断され得る。
【００６６】
５１２で受信した制御情報に基づいて、第２ワイヤレスデバイス５０４は、（そのデバイスが第１ワイヤレス伝送５１０の意図された宛先である場合に）第１ワイヤレス伝送５１０を受信するように自らを構成し得る。これには、たとえば適切な数のアンテナチェーンを準備したり、ＭＩＭＯモードを選択したり、帯域幅および／またはＦＦＴサイズを適合させたり、および適切な符号化ブロックに切り替えたりすることにより、第１ワイヤレス伝送５１０の通知されたパラメータに応じて受信側ハードウェアを調整することが含まれ得る。そのような制御情報をＬ−ＬＴＦフィールドの一部として受信することにより、第２ワイヤレスデバイス５０４は、そのような情報が後ろの信号フィールドに含まれている場合に比べて、デバイスのさまざまな構成要素を適切な動作のために構成するための実質的に大きなタイミングバジェットを得ることができる。これにより、効率が実質的に向上し得り、かつ／または第１ワイヤレスデバイス５０２と第２ワイヤレスデバイス５０４との間（および潜在的にはワイヤレス通信システム内の他のデバイスの間）での通信のスループットが向上し得る。
【００６７】
なお、第１ワイヤレスデバイス５０４が第１ワイヤレス伝送５１０の意図された宛先ではない場合（たとえば、宛先情報がＬ−ＬＴＦに含まれている場合は、Ｌ−ＬＴＦから判断される制御情報からも判断され得る）、第２ワイヤレスデバイス５０４は、第１ワイヤレス伝送の残りを破棄し、それによって本明細書で図４に関連して上述したような省電力の利点を得ることができる。
【００６８】
図６〜１９−例示的な８０２．１１実装の詳細
図６〜１９およびこれらの図面に関連して本明細書で後述する情報は、一部の実施形態に係る、図４〜５のいずれかまたは両方の方法が実装され得る考え得るＩＥＥＥ  ８０２．１１ワイヤレス通信システムに関する多様な考慮事項および詳細事項の例として提供されたものであり、本開示を全体として限定することを意図したものではない。本明細書で後述する詳細の多数のバリエーションおよび代替案が実現可能であり、本開示の範囲内であると見なされる必要がある。
【００６９】
Ｗｉ−Ｆｉ通信システムでは、Ｗｉ−Ｆｉデバイス（たとえば、ＳＴＡ）が可能な限りスリープできるようにすることにより、大幅な省電力が実現される。たとえば、１つの考え得る省電力（ＰＳ：Ｐｏｗｅｒ  Ｓａｖｅ）動作モードは、ＳＴＡが特定の間隔（たとえば、配信トラフィック示唆メッセージ（ＤＴＩＭ）間隔）で起動してアクセスポイントからの伝送を「傍受」することを含み得る。ＡＰでＳＴＡのためにバッファされたトラフィックがある場合、ＳＴＡはバッファされたデータのすべてをＡＰがＳＴＡに送信するまで、起動した状態を維持できる。それ以外の場合、ＳＴＡは、次の指定間隔までスリープし、バッファされたトラフィックを再び確認できる。
【００７０】
しかし、セルの負荷によっては、（たとえば、プロトコルのキャリアセンス多重アクセス／衝突回避（ＣＳＭＡ／ＣＡ）特性および媒体のタイムシェアリングにより）ＳＴＡはＡＰがそのデータを伝送するまで長時間または短時間の待機を余儀なくされる可能性がある。その間、ＳＴＡは、自分のパケットがいつ届くかわからないために、媒体ですべての伝送（の少なくとも一部）を傍受する可能性がある。
【００７１】
図４に関連して上述したように、ＳＴＡがパケットの一部のみを傍受し、そのパケットがそのＳＴＡに対して意図されたものでないことを判断し、パケットの残りを破棄して次の伝送までスリープすることが可能であり得る。これにより、そのような伝送待機の間にＳＴＡの電力消費を減らすことができる。これは、「仮想キャリアセンス」を可能にするようにネットワーク割り当てベクトル（ＮＡＶ）を設定することを含み得る。同じく図４に関連して上述したように、そのような機能に必要な情報を早期に含めることにより、電力消費をさらに減らすことができる。図５に関連して説明したように、任意の多様な種類の制御情報をＬ−ＬＴＦフィールドの変更された（しかし潜在的に下位互換性のある）バージョンに含めることにより、それらの情報をＩＥＥＥ  ８０２．１１パケットで早期に提供することが、より一般的に可能であり得る。図６〜８は、多様な種類の制御情報がパケットの多様な位置に含まれた、ＩＥＥＥ  ８０２．１１の多様なバージョンに基づく考え得るパケット構造を示している。
【００７２】
図６に示すように、８０２．１１ｎのパケットの場合、宛先情報（宛先デバイスのＭＡＣアドレス）は、ＰＨＹデータの第１ＯＦＤＭシンボル６１０まで含まれていない。８０２．１１ｎから８０２．１１ａｃへのＷＬＡＮパケット構造の移行で、８０２．１１ｎのＨＴ−ＳＩＧ１フィールドを置換する８０２．１１ａｃのＶＨＴ−ＳＩＧ１フィールド６２０に、特定の制御情報が挿入され得る。これは図６にも示されている。パケットの宛先情報（詳細には、部分関連ＩＤまたはＰＡＩＤ）がＶＨＴ  ＳＩＧ−Ａ１フィールド６２０で提供され、ＶＨＴ  ＳＩＧ−Ａ２フィールド６３０の後で復号されてパケットの宛先を判断するために使用され得る。
【００７３】
図６に示す例示的な後続の移行では、制御情報がさらに早期に、詳細にはＬ−ＬＴＦフィールド６４０の一部として、パケットに含まれ得る。制御情報をこれだけ早い位置でパケットに含めることで、そのような制御情報がさもなくば提供され得る位置との比較で、提供される制御情報の対象であるブロックのタイムバジェットを増やすことができる。たとえば、図示されているように、制御情報をＬ−ＬＴＦ６４０に含めることで、そのような制御情報の代替位置との比較で、１２〜３３μｓ以上のタイミングバジェットが受信側の考え得る多様なブロックに提供され得る。もちろん、これらの例示的なタイミングバジェットの増加値は単なる例として提供されており、任意の数の代替的なタイミングバジェット増加値が実現可能であることに留意する必要がある。
【００７４】
Ｌ−ＬＴＦフィールド６４０に含まれる制御情報の形式は、必要に応じて設計され得る。たとえば、任意の多様なフィールド／サブフィールド（考え得る任意の多様な長さおよび形式を備える）を定義して、制御情報に使用できる。１つの例示的な可能性として、図７に示す形式を、必要に応じて使用できる。
【００７５】
見てわかるように、図示された例示的なＬ−ＬＴＦ制御フィールドは、ＭＡＣアドレスやＡＩＤアドレス（または宛先デバイスのＭＡＣアドレスまたはＡＩＤの下位部分等の一部）などの部分的な宛先アドレスを含み得る宛先サブフィールド７１０を含み得る。この例示的なサブフィールドは、６〜１１ビットの情報を含み得る。より多くのビットを割り当てることで誤検出の可能性は低くなり得るが、追加の制御情報を提供するために選択された機構（たとえば、符号化スキーム）でより多くのビットの情報を提供できることが必要となる。
【００７６】
さらに、Ｌ−ＬＴＦ制御フィールドは、ＯＦＤＭシンボル単位、バイト単位、μｓ単位、または任意の他のメトリック単位のパケットの長さ値を含み得る長さサブフィールド７２０を含み得る。１つの可能性として、長さサブフィールドは１２ビットの情報を含む。ビット数を増やすかまたは減らす（それに対応して最大フィールド値が増加または減少する）ことも可能である。
【００７７】
Ｌ−ＬＴＦ制御フィールドはまた、ＭＩＭＯサブフィールド７３０を含み得る。このサブフィールドは、伝送の構成対象であるＲＦチェーンの数の示唆を含み得る。１つの可能性として、長さサブフィールドは、たとえば１個、２個、３個、または４個のＲＦチェーンが構成されていることを示すために、１〜２ビットの情報を含み得る。ビットの数を増やすかまたは減らす（たとえば、別の数のＭＩＭＯ構成が考えられる場合）ことも可能である。
【００７８】
さらに、Ｌ−ＬＴＦ制御フィールドは、符号化サブフィールド７４０を含み得る。このサブフィールドは、考え得る複数の種類の符号化のうち、どの符号化が伝送に使用されるかの示唆を含み得る。１つの可能性として、符号化サブフィールドは、たとえばＢＣＣまたはＬＤＰＣのどちらの符号化が使用されるかを示すために、１ビットの情報を含み得る。ビットの数を増やすかまたは減らす（たとえば、別の数の符号化スキームが考えられる場合）ことも可能である。
【００７９】
さらに、Ｌ−ＬＴＦ制御フィールドは、帯域幅サブフィールド７５０を含み得る。このサブフィールドは、複数の考え得る伝送帯域幅のうち、どの伝送帯域幅が伝送に使用されるかの示唆を含み得る。１つの可能性として、ＢＷサブフィールドは、たとえば２０ＭＨｚ、４０ＭＨｚ、８０ＭＨｚ、または１６０ＭＨｚのうち、どの帯域幅が伝送に使用されるかを示すために、２ビットの情報を含み得る。ビットの数を増やすかまたは減らす（たとえば、別の数の帯域幅が使用される可能性がある場合）ことも可能である。
【００８０】
さらに、Ｌ−ＬＴＦ制御フィールドは、ＦＦＴサブフィールド７６０を含み得る。このサブフィールドは、複数の考え得るＦＦＴブロックサイズのうち、どのＦＦＴブロックサイズが伝送に使用されるかの示唆を含み得る。１つの可能性として、ＦＦＴサブフィールドは、たとえば６４ポイント、１２８ポイント、２５６ポイント、または５１２ポイントのＦＦＴブロックのうち、どのＦＦＴブロックが伝送に使用されるかを示すために、２ビットの情報を含み得る。ビットの数を増やすかまたは減らす（たとえば、別の数のＦＦＴサイズが使用される可能性がある場合）ことも可能である。
【００８１】
よって、図７の例示的なＬ−ＬＴＦ制御フィールドの場合、２４〜３０個の情報ビットが制御信号に使用され得る。なお、追加の制御信号が求められる場合、（たとえば、Ｌ−ＬＴＦに使用される符号化スキームに応じて）それらを含めることも可能である。たとえば、図示されていないが、ＭＵ−ＭＩＭＯの示唆、巡回冗長検査、および／または他の任意の多様なサブフィールドのいずれかまたはすべてを、図７に示されたサブフィールドに加えて、または代替で、必要に応じて含めることが可能であり得る。
【００８２】
少なくとも一部の事例では、そのような情報を、下位互換性を犠牲にせずに、Ｌ−ＬＴＦに追加することが可能であり得る。言い換えると、下位互換性を備えるように設計されている場合、（たとえば、Ｌ−ＬＴＦから制御情報を取得できない可能性がある）レガシーデバイスであっても、Ｌ−ＬＴＦフィールドを使用してチャネル推定およびタイミング同期を実行することができる。
【００８３】
より詳細には、元のＬ−ＬＴＦフィールドは、２つのＯＦＤＭシンボルにわたって反復された５２トーンを超える＋１および−１の既知のシーケンスを含む。内側の４８トーンは、たとえばＬ−ＳＩＧおよび後続のフィールドを復号するために、チャネル推定に使用され得る。１／２レートで符号化されている場合、２４個の情報ビットが使用可能であり得る。３／４レートで符号化されている場合、３６個の情報ビットが使用可能であり得る。差分的に符号化されている場合、４７個の情報ビットが使用可能であり得る。反復された既知のシーケンスは、ＯＦＤＭシンボルの検出を時刻同期するために使用され得る２つの相関ピークを生成し得る。Ｌ−ＬＴＦの２つのＯＦＤＭシンボルは、チャネル推定を実行する前に合計され得り、それによって、たとえば３ｄＢのノイズ低減利得が得られ得る。
【００８４】
図８〜１０は、下位互換性を損なわない態様で、Ｌ−ＬＴＦフィールドに追加情報を含めるための考え得る手法を示す。
【００８５】
図８は、既存のＬ−ＬＴＦ  ＢＰＳＫトレーニングシーケンスの上に追加のＢＰＳＫ信号を追加するための例示的な手法を示す信号点配置図である。生成された信号点配置図は、２ビットのパルス振幅変調（４  ＰＡＭ）スキームに似ている。しかし、ビットの１つが既知のトレーニングシーケンスによって事実上判断されるため、そのようなスキームで事実上４８個の符号化されたビットをＬ−ＬＴＦに追加できる。すべての点が統一力に対してスケールされ得ることに留意されたい。εの値は、必要に応じて選択され得る。例として、図８では、ε＝１／２として示されている。
【００８６】
上述したように、各トーンでのチャネル推定は、２つのＬ−ＬＴＦ  ＯＦＤＭシンボル（Ｌ−ＬＴＦサブフィールドとも呼ばれ得る）を合計することにより実行され得る。２つのＬ−ＬＴＦサブフィールドが図９に示すように形成されている場合（すなわち、Ｌ−ＬＴＦ１  ９１０はｘ１＝Ｘｔ＋ε、Ｌ−ＬＴＦ２  ９２０はｘ２＝Ｘｔ−ε）、追加の情報をキャンセルして、各トーンの（たとえば、ハットにより示されるノイズに起因して推定される）トレーニングシーケンスタームＨを取得できる。
【数１】
0006010824.tif 000002
ここで、ノイズ電力ｎは−（ＳＮＲ＋３）ｄＢ、
｜Ｘｔ｜2＝１、および
（）＊は複素共役を示す。
【００８７】
よって、２つのＬ−ＬＴＦサブフィールド９１０、９２０を合計してチャネル推定を実行するレガシーデバイスでも、既知のトレーニングシーケンスを検出できる。
【００８８】
一方、各トーンの追加情報は、２つのＬ−ＬＴＦサブフィールド９１０、９２０の減算により検出され得る。この計算の場合、元のトレーニングシーケンスタームＸｔがキャンセルされ得り、追加の情報εのみが（一定のノイズと共に）残り得る。
【数２】
0006010824.tif 000003
ここで、ノイズ電力ｎは−（ＳＮＲ＋３）ｄＢ。
【００８９】
図１０は、既存のＬ−ＬＴＦ  ＢＰＳＫトレーニングシーケンスに９０度回転したＢＰＳＫ信号を追加するための例示的な手法を示す信号点配置図である。この場合、配置の実数部分（すなわち、＋１または−１）は元の（既知の）トレーニングシーケンスに使用され得り、配置の虚数部分（すなわち、＋ｊまたは−ｊ）は追加の情報ビットを提供し得る。
【００９０】
図１１〜１３は、図８〜１０に示された追加情報を含めるためのスキームのさまざまなテスト結果を示すグラフである。
【００９１】
図１１は、フェージングチャネルの拘束長が異なるスキームの例示的なパケット誤り率（ＰＥＲ：Ｐａｃｋｅｔ  Ｅｒｒｏｒ  Ｒａｔｅ）のパフォーマンスを示す。図示されているように、両スキーム（重ねたＢＰＳＫ１１１０、１１３０および回転したＢＰＳＫ１１２０、１１４０）は、特に拘束長７（Ｋｃｃ＝７）で良好なパフォーマンスを示している。重ねたＢＰＳＫスキーム１１１０、１１３０は、たとえば短縮された自由距離ｄfreeに起因して、回転したＢＰＳＫスキーム１１２０、１１４０に対して３ｄＢのペナルティを示していることがわかり得る。
【００９２】
図１２Ａ〜１２Ｄは、元のＬ−ＬＴＦプロセス１２１０、追加されたＢＰＳＫプロセス１２２０、および追加された９０度回転したＢＰＳＫプロセス１２３０についての異なる信号レベルでのタイミング同期補正（サンプリングタイミングオフセット／ＳＴＯ）の結果を示している。詳細には、図１２Ａは０ｄＢでの相互相関、図１２Ｂは２ｄＢでの相互相関、図１２Ｃは４ｄＢでの相互相関、図１２Ｄは６ｄＢでのクロス相関をそれぞれ示す。見てわかるように、異なるプロセス間で、パフォーマンスは非常に似ている。追加された９０度回転したＢＰＳＫ１２３０は、パフォーマンスが若干低下しているように見えるが（ノイズフロアが高い）、この違いはわずかに見える。
【００９３】
図１３は、元のＬ−ＬＴＦプロセス１３１０、追加されたＢＰＳＫプロセス１３２０、および追加された９０度回転したＢＰＳＫプロセス１３３０の例示的なチャネル推定パフォーマンスを示す。詳細には、ｄＢ単位の平均平方誤差（ＭＳＥ）でのチャネル推定精度が、ｄＢ単位の受信信号対ノイズ比（ＳＮＲ：Ｓｉｇｎａｌ  ｔｏ  Ｎｏｉｓｅ  Ｒａｔｉｏ）の関数として示されている。追加された９０度回転したＢＰＳＫスキーム１３３０は、図示されているように、元のＬ−ＬＴＦスキーム１３１０に似たパフォーマンスを示しているが、追加されたＢＰＳＫスキーム１３２０は、４  ＰＡＭ配置の単位エネルギー尺度に起因する可能性があるエラーフロアを示している。εの値を減らすことにより、追加されたＢＰＳＫスキーム１３２０のエラーフロアを改善する（たとえば、軽減する）ことが可能だが、それによって当該スキームのＰＥＲが低下する可能性がある。
【００９４】
よって、既存のＢＰＳＫトレーニングシーケンスの上のＢＰＳＫまたは９０度回転したＢＰＳＫを使用してＬ−ＬＴＦフィールドに制御情報を追加することにより、そのような情報を認識するように構成されたデバイスで、そのデバイスが意図された受信側であるパケットの早い段階で、パケットの特定のパラメータに応じて、受信のために構成要素の準備を開始するか、または代替で、そのデバイスが意図された受信側でないパケットを早期に破棄して、省電力を実現することが可能となり得る。さらに、レガシーデバイスと新しいデバイスの両方が、そのようなスキームを使用して、本来意図されているとおりにＬ−ＬＴＦフィールドをチャネル確立およびタイミング同期に使用することができる。
【００９５】
図４に関連して上述したように、宛先および長さ情報をＬ−ＬＴＦフィールドの一部として提供する代わりに、たとえばＬ−ＳＴＦとＬ−ＬＴＦの間に含める新しいフィールドを定義し、その中で宛先および長さ情報を提供することも可能である。図１４〜１５は、一部の実施形態に応じて、そのようなフィールドを含むパケット構造が８０２．１１ａｃのパケット構造とどのように異なり得るかを示している。見てわかるように、図１４は、図６に示す８０２．１１ａｃのパケット構造と同様に、ＰＨＹプリアンブルおよびＰＨＹデータを含む例示的なＩＥＥＥ  ８０２．１１ａｃ物理層パケット構造を示している。図示されているように、プリアンブルは、さまざまなレガシーフィールド、および超高スループットのショートトレーニングフィールド、ロングトレーニングフィールド、ならびに信号フィールドを含み得る。これらはそれぞれ固定長だが、その後ろに、可変長であり得る超高スループットのデータフィールド（すなわち、ＰＨＹデータ）が続き得る。
【００９６】
図１４に示された例示的なＩＥＥＥ  ８０２．１１ａｃ物理層パケット構造では、パケットの宛先情報（詳細には、部分関連ＩＤまたはＰＡＩＤ）は、ＶＨＴ  ＳＩＧ−Ａ１フィールドで提供され得り、ＶＨＴ  ＳＩＧ−Ａ２フィールドの受信後にパケットの宛先を判断するために復号および使用され得る。よって、（たとえば、Ｌ−ＳＩＧフィールドで提供される長さ情報と組み合わせて）、パケットを復号して自らがそのパケットの意図された受信側でないと判断したデバイスは、パケットの残りを破棄し、初期時間、たとえば２８μｓの後、パケットの残りが伝送される間にスリープすることができる。
【００９７】
図１５は、Ｌ−ＳＴＦとＬ−ＬＴＦの間に新しい「低エネルギー信号」または「ＬＥ−ＳＩＧ」フィールドを含む、例示的な新しいＩＥＥＥ  ８０２．１１物理層パケット構造を示している。ＬＥ−ＳＩＧフィールドは、パケットの宛先および長さ情報を含むことができ、よってパケットの意図された受信側でないデバイスがパケットの残りを破棄し、ＬＥ−ＳＩＧフィールド後にパケットが伝送されている間にスリープすることを可能にし得る。ＬＥ−ＳＩＧフィールドが４μｓである場合は、受信側のデバイスが１２μｓ後にスリープできることを意味し、ＬＥ−ＳＩＧフィールドが８μｓである場合は、受信側のデバイスが１６μｓ後にスリープできることを意味する。これらにより、図１４に示すパケット構造を使用した場合に比べて、約５７％（１２／２８）または４３％（１６／２８）の省電力が実現される。
【００９８】
Ｌ−ＳＴＦは、パケットの先頭の検知、ＡＧＣ、粗周波数オフセット推定および補正、ならびに粗タイミング推定のいずれかまたはすべてを含む、複数の機能を果たし得る。少なくとも一部の事例では、Ｌ−ＳＴＦは、受信側のデバイスがチャネル推定（Ｌ−ＬＴＦを使用して／基にして実行され得る）を実行するには十分でない可能性がある。よって、受信側デバイスによるユーザービリティを合理的に予測したうえで、宛先および長さ情報をＬＥ−ＳＩＧに含め、図１５に示されているようにＬ−ＳＴＦとＬ−ＬＴＦの間でＬＥ−ＳＩＧを提供するために、ＬＥ−ＳＩＧは差分的に符号化され得る。たとえば、情報は、サンプル自体で符号化される（すなわち、コヒーレント符号化）のではなく、１つのサンプルから次のサンプルへの移行で符号化され得る。
【００９９】
上述したように、ＬＥ−ＳＩＧは、パケットの宛先情報および長さ情報を含み得る。ＬＥ−ＳＩＧの形式は、必要に応じて設計できる。たとえば、宛先情報および長さ情報の任意の形式およびフィールド長を使用できる。１つの可能性として、ＬＥ−ＳＩＧは２３個の情報ビット（第１ビットが差分符号化の参照ビットであり得るため、合計２４ビット）を含み得り、そのうち９ビットが宛先アドレスのＰＡＩＤ（または部分的なＭＡＣアドレスまたはグループＩＤ等の他の任意の圧縮形式）を示し、１１ビットがパケットの長さをＯＦＤＭシンボル単位で示し、３ビットが巡回冗長検査情報であり得る。そのような形式で、基本サービスセット（ＢＳＳ）ごとに約１０００台のＳＴＡと、５．４６ｍｓの最大パケット超とをサポートできる。異なる数の情報ビット（合計および／またはフィールドごと）、異なるフィールド形式（たとえば、必要に応じて、確認を含むかまたは含まない、異なる宛先アドレス形式、バイト、μｓ、または他の任意のメトリック単位の長さ測定等）、追加情報の包含、および／またはＬＥ−ＳＩＧフィールドの他のバリエーションを、必要に応じて使用できる。
【０１００】
ＬＥ−ＳＩＧは、必要に応じて符号化を使用するかまたは使用しないように設計でき、（たとえば、時間ダイバーシティ、ノイズ低減等のために）任意の所望の数だけ反復するように設計できる。たとえば、変調されたシンボルを８μｓの間隔で符号化なしで４回反復したり、８μｓの間隔でｒ＝１／２の符号化により２回反復したりすることができる。さらに、ＬＥ−ＳＩＧは、必要に応じて、考え得る任意の多様なＰＨＹデータレートで伝送できる。たとえば、６Ｍｂｐｓのデータレートを１つのＯＦＤＭシンボルピリオド（４μｓ）に対して使用するか、または３Ｍｂｐｓのデータレートを２つのＯＦＤＭシンボルピリオド（８μｓ）に対して使用することができる。
【０１０１】
ＬＥ−ＳＩＧは情報を差分的に符号化する可能性があるため、ＬＥ−ＳＩＧを利用するように構成されたデバイスは、差分デマッパ機能ブロックを（たとえば、無線機の一部として）含み得る。図１６は、例示的な受信側ブロック図を示す。このブロック図は、差分デマッパブロックを含み、差分符号化されたＬＥ−ＳＩＧフィールドを考え得る多様な実装に応じて復号するために使用され得る。
【０１０２】
図示されているように、受信側は、アナログ無線周波数（ＲＦ）回路を含み得る。この回路は、アンテナから信号を受信し、それらの（たとえば、フィルタ処理され、増幅され、および／またはその他の方法で変更された）信号をアナログデジタル変換器（Ａ／Ｄ）に提供し得る。それに対し、Ａ／Ｄは、アナログ信号をデジタル信号に変換し、それらのデジタル信号をデジタルフロントエンド回路に提供し得る。着信信号のＬ−ＳＴＦフィールドに基づき、受信側はキャリアセンス（ＣＲＳ：Ｃａｒｒｉｅｒ  Ｓｅｎｓｉｎｇ）を実行して着信パケットを検出し、さらに（たとえば、着信パケット検出に基づいて提供され得るキャリアセンスブロックからの制御信号に基づいて）自動利得制御（ＡＧＣ）を構成し、検出された着信パケットごとに周波数オフセットの推定および補正を行うことができる。
【０１０３】
高速フーリエ変換（ＦＦＴ）配置およびＦＦＴ（ＦＦＴ入力バッファおよび出力バッファを利用する可能性がある）の後、たとえば転送のどの部分が特定の時刻に着信したかに応じて、着信信号がチャネル推定ブロック、デマッパブロック、またはＬＥ−ＳＩＧシンボル結合器ブロックに提供され得る。図示されているように、着信信号は、データパスコントローラブロックにも提供され得る。データパスコントローラブロックは、信号を分析して、有効にするデータパスを判断し得る。たとえば、データパスコントローラは、着信パケットの２番目のフィールドがＬＥ−ＳＩＧフィールドであるかまたはＬ−ＬＴＦフィールドであるかを検出し、ＬＥ−ＳＩＧシンボル結合器および差分デマッパへのデータパスまたはチャネル推定ブロックをそれぞれ有効にすることができる。
【０１０４】
よって、２番目のフィールドがＬＥ−ＳＩＧフィールドである場合、ＬＥ−ＳＩＧフィールドの信号は（たとえば、ノイズ低減の利点を得るために反復されている可能性があるため）ＬＥ−ＳＩＧシンボル結合器に提供され、さらに差分デマッパに提供され得る。代替で（たとえば、ＬＥ−ＳＩＧ信号が反復されていない場合）、ＬＥ−ＳＩＧシンボル結合器ブロックは使用されず、ＬＥ−ＳＩＧデータパスはＦＦＴブロックからの信号を差分デマッパに直接提供することがある。差分デマッパブロックは、前のトーンに対する差分に基づいて、各ビットの値（トーン）を判断し得る。たとえば、トーンが前のトーンから回転している場合は「１」を示し得り、トーンが前のトーンと同じである場合は「０」を示し得る。ＬＥ−ＳＩＧが符号化（たとえば、ｒ＝１／２の符号化）を使用している場合、ＬＥ−ＳＩＧの復号の一部としてビタビブロックが使用されることもあり、その後、ＣＲＣLEが検査されてＬＥ−ＳＩＧが適切に復号されたことが確認され得る。代替で、ＬＥ−ＳＩＧが符号化されていない場合、データパスは差分デマッパからＣＲＣLE検査に直接流れ得る。
【０１０５】
受信側がパケットの意図された受信側である場合、チャネル推定がチャネル推定ブロックを使用してＬ−ＬＴＦフィールドに基づいて実行され得る。その後、Ｌ−ＳＩＧフィールドおよび後続のフィールド（コヒーレントに符号化されている可能性がある）が、デマッパブロックおよびビタビブロックでコヒーレント検出を使用して復号され得る。
【０１０６】
上述したように、データパスコントローラは、どの種類のプリアンブルが受信されたか（たとえば、レガシーまたはＬＥ）を識別し、それに応じてデータパスを切り替えることができる。ＬＥプリアンブルの場合、データパスコントローラは、ＬＥ−ＳＩＧの宛先および長さ情報も検査して、処理を進めるか、またはパケットを破棄するかを判断できる。プリアンブルの種類の識別は、必要に応じて、任意の多様な方法で実行され得る。１つの可能性として、Ｌ−ＬＴＦフレーム構造を利用して、フィールド（たとえば、ＰＨＹプリアンブルの２番目のフィールド）がＬ−ＬＴＦであるか否かを迅速に認識することができる。
【０１０７】
たとえば、図１７に示されているように、Ｌ−ＬＴＦは、フィールドの最初の０．８μｓに巡回プレフィックスを含み、フィールドの２番目の０．８μｓでその巡回プレフィックスを反復し得る。対照的に、ＬＥ−ＳＩＧフィールドは、フィールドのＬＥ−ＳＩＧ１部分およびＬＥ−ＳＩＧ２部分の前に、それぞれ単一の巡回プレフィックスを含み得る。よって、Ｌ−ＳＴＦに従い、データパスコントローラは０．８μｓのサンプルを収集し、自己相関を実行し得る。次の０．８μｓにピークが存在する場合、フィールドがＬ−ＬＴＦフィールドであること（および着信パケットのプリアンブルがレガシープリアンブルであること）を示している可能性があり、そうでない場合は、フィールドがＬＥ−ＳＩＧフィールドであること（および着信パケットのプリアンブルがＬＥプリアンブルであること）を示している可能性がある。よって、そのような分類をＬ−ＳＴＦフィールド後の１．６μｓ以内に実行できる。
【０１０８】
図１８は、本明細書に記載されているようなＬＥ−ＳＩＧフィールドを含むパケット構造を利用するように構成されたデバイスのＰＳ動作の例示的なプロセスフローを示す流れ図である。
【０１０９】
図示されているように、１８０２で、デバイスは着信伝送を能動的に検索し得る。１８０４で着信パケットを検出した（Ｌ−ＳＴＦを検出した）後、デバイスは、１８０６で２番目のフィールドを識別し得る。詳細には、１８０８で、２番目のフィールドがＬ−ＬＴＦフィールドであるか（たとえば、着信パケットがレガシーパケットであるか）またはＬＥ−ＳＩＧフィールドであるか（たとえば、着信パケットが図１５に図示され且つ説明されたパケット構造を有しているか）が判断され得る。
【０１１０】
２番目のフィールドを識別するための機構の１つは、たとえば受信チェーンの複数のブロックを（たとえば、並列で）同時に使用して、単純に２番目のフィールドをＬ−ＬＴＦとして復号し（たとえば、着信信号が予想されるトレーニングシーケンスに一致するか否かを判断する）、またＬＥ−ＳＩＧとして復号する（たとえば、ＬＥ−ＳＩＧのＣＲＣ値が適切であるか否かを判断する）ことである。
【０１１１】
代替で、図示されているように、２番目のフィールドの早期識別にデータパスコントローラ（図１６〜１７に関連して本明細書で上述したもの等）を使用することもできる。データパスコントローラは、Ｌ−ＳＴＦの後に、レガシープリアンブルに存在し得る反復された巡回プレフィックスで時間領域相関器を（たとえば、専用ハードウェアで）実行して、２番目のフィールドの前または先頭で２番目のフィールドの身元を判断することができる。
【０１１２】
２番目のフィールドがＬＥ−ＳＩＧフィールドである場合、１８１０で、差分デマッパの受信パスが有効にされ得る。１８１２で、ＬＥ−ＳＩＧのＣＲＳ（ＣＲＣLE）が検査され得る。ＣＲＣLEが成功した場合、１８１４で、パケットの宛先アドレス（ＤＡ：Ｄｅｓｔｉｎａｔｉｏｎ  Ａｄｄｒｅｓｓ）および長さが検査され得る。ＤＡが図１８のプロセスフローを実装するデバイスのＤＡではない場合、１８１６および１８１８で、デバイスはタイマーを設定し、パケットの長さにわたってスリープすることができる。ＤＡが図１８のプロセスフローを実行するデバイスのＤＡである場合、デバイスはステップ１８１４からステップ１８２２に進んで、パケットの残りの復号を続行できる。
【０１１３】
ステップ１８１２でＣＲＣLEが失敗した場合、劣悪な受信条件が原因（または、パケットがレガシーパケットであり、２番目のフィールドが実際にはＬ−ＬＴＦフィールドであることが原因）であり得る。１つの可能性として（図示されているように）、デバイスはステップ１８１８に進み、パケットの残りを単純に破棄して、一定時間（たとえば、ランダムもしくは疑似ランダムな期間、次回のビーコンまで、または他の任意の所望の間隔）スリープすることができる。その後、デバイスは起動し、ステップ１８０２に戻って着信パケットを再び能動的に検索できる。別の可能性として（図示せず）、デバイスは、少なくとも宛先アドレスおよびパケット長の次回の示唆が受信されるまで、パケットの受信の続行を試みる（たとえば、Ｌ−ＬＴＦフィールドでチャネル推定を実行し、以降のフィールドを復号する）ことができる。
【０１１４】
ステップ１８０８で、パケットがレガシープリアンブルを含み、２番目のフィールドがＬ−ＬＴＦフィールドであると判断された場合、デバイスは図示されたプロセスフローの右手側に従い得る。この場合、ステップ１８２０に進んだデバイスは、チャネル推定のパスを有効化し、１８２２で、Ｌ−ＳＩＧおよびパケットの残りを処理し得る（少なくとも宛先アドレスおよびパケット長の示唆が受信されるまで）。パケットがそのデバイスに対して意図されたものではない場合（そのことが判断された後）、デバイスはパケットを破棄し、パケットの時間の残りについてスリープすることができる。パケットがそのデバイスに対して意図されたものである場合、１８２４で、デバイスはパケットの末尾でＣＲＣDataを検査し、成功した場合は、１８２６で、確認を送信し得る。ＣＲＣDataが失敗した場合、デバイスは代わりにステップ１８２８に進み、一定時間（たとえば、ランダムもしくは疑似ランダムな期間、次回のビーコンまで、または他の任意の所望の間隔）スリープすることができる。その後、デバイスは起動し、ステップ１８０２に戻って着信パケットを再び能動的に検索できる。
【０１１５】
図１９は、本明細書に記載されているようなＬＥ−ＳＩＧフィールドを含むパケット構造を利用するように構成されていないレガシーデバイスの動作の例示的なプロセスフローを示す流れ図である。
【０１１６】
図示されているように、１９０２で、デバイスは着信伝送を能動的に検索し得る。１９０４で着信パケットを検出した（Ｌ−ＳＴＦを検出した）後、１９０６で、デバイスは２番目のフィールドをＬ−ＬＴＦとして復号することを試み得る。着信パケットがレガシーパケットである場合（その場合、２番目のフィールドは実際にＬ−ＬＴＦであり得る）、デバイスはＬ−ＬＴＦの復号に成功し、その後Ｌ−ＳＩＧおよびパケットの残りを１９０８で処理できる。よってデバイスは、少なくとも宛先アドレスおよびパケット長の示唆が受信されるまで、パケットの処理を続行できる。パケットがそのデバイスに対して意図されたものでない場合、デバイスはそのように判断された後、パケットの残りを破棄してスリープすることができる。パケットがそのデバイスに対して意図されたものである場合、１９１０で、デバイスはパケットの末尾でＣＲＣDataを検査し、成功した場合は、１９１２で確認を送信できる。ＣＲＣDataが失敗した場合、デバイスは代わりにステップ１９１４に進み、一定時間（たとえば、ランダムもしくは疑似ランダムな期間、次回のビーコンまで、または他の任意の所望の間隔）スリープすることができる。その後、デバイスは起動し、ステップ１９０２に戻って着信パケットを再び能動的に検索できる。
【０１１７】
着信パケットがレガシーパケットでない場合（その場合、２番目のフィールドはＬＥ−ＳＩＧフィールドであり得る）、１９０６で、デバイスはＬ−ＬＴＦの復号に失敗し得る。この場合、デバイスは、（たとえば、ランダムもしくは疑似ランダムな期間、次回のビーコンまで、または他の任意の所望の間隔）スリープし、最終的に起動して着信パケットを再び能動的に検索するか、またはすぐにステップ１９０２に戻って着信パケットを能動的に検索することができる。よって、本明細書で記載されたようなＬＥ−ＳＩＧフィールドを含むパケット構造の使用は、少なくとも一部の事例では、レガシーデバイスとの下位互換性を提供しない可能性がある。
【０１１８】
以下では、本開示のさらなる例示的な実施形態を示す。
【０１１９】
１．ワイヤレスデバイスによりワイヤレス伝送を受信するステップであって、ワイヤレス伝送が物理層（ＰＨＹ）プリアンブルとＰＨＹデータとを含み、ＰＨＹプリアンブルが、宛先を示す宛先情報と、ワイヤレス伝送の長さを示す長さ情報とを含み、ＰＨＹプリアンブルが、チャネル推定用に構成された部分を含み、宛先情報および長さ情報が、ＰＨＹプリアンブルのチャネル推定用に構成された部分に含まれるステップと、ワイヤレスデバイスによりワイヤレス伝送がワイヤレスデバイスに対して意図されたものであるか否かを宛先情報に基づいて判断するステップと、ワイヤレス伝送がワイヤレスデバイスに宛てられたものでないことを宛先情報が示している場合にワイヤレスデバイスにより第１ワイヤレス伝送の残りを破棄するステップとを含む方法。
【０１２０】
２．宛先情報および長さ情報が、宛先情報と長さ情報とを伝えるＢＰＳＫ信号をＢＰＳＫトレーニングシーケンスに追加することによって符号化され、追加されるＢＰＳＫ信号が、ＢＰＳＫトレーニングシーケンスの上にＢＰＳＫ信号を追加するか、またはＢＰＳＫトレーニングシーケンスに９０度回転したＢＰＳＫ信号を追加することにより追加される例１の方法。
【０１２１】
３．ワイヤレス伝送がＩＥＥＥ  ８０２．１１ワイヤレス通信であり、ＰＨＹプリアンブルが、少なくともレガシーショートトレーニングフィールドとレガシーロングトレーニングフィールドとを含み、宛先情報および長さ情報が、レガシーロングトレーニングフィールドの一部である例１または例２の方法。
【０１２２】
４．ワイヤレスデバイスによりワイヤレス伝送の残りを破棄するステップが、長さ情報に基づいて、ワイヤレス伝送の長さにわたりスリープするかまたは低電力状態に入るステップを含む例１〜３のいずれかの方法。
【０１２３】
５．第１ワイヤレスデバイスにより第１ワイヤレス伝送を実行するステップであって、第１ワイヤレス伝送が物理層（ＰＨＹ）プリアンブルとＰＨＹデータとを含み、ＰＨＹプリアンブルが、第１ワイヤレス伝送の宛先であるデバイスを示す宛先情報と、第１ワイヤレス伝送の長さを示す長さ情報とを含み、ＰＨＹプリアンブルが、チャネル推定用に構成された部分を含み、宛先情報および長さ情報が、ＰＨＹプリアンブルのチャネル推定用に構成された部分に含まれるステップと、第２ワイヤレスデバイスにより、第１ワイヤレス伝送の少なくとも一部を受信するステップと、第１ワイヤレス伝送が第２ワイヤレスデバイスに宛てられたものでないことを宛先情報が示している場合に、第２ワイヤレスデバイスにより、宛先情報に基づいて、第１ワイヤレス伝送が第２ワイヤレスデバイスに対して意図されたものではないと判断するステップと、第２ワイヤレスデバイスにより、第１ワイヤレス伝送の残りを破棄するステップとを含む方法。
【０１２４】
６．宛先情報および長さ情報が、宛先情報と長さ情報とを伝えるＢＰＳＫ信号をＢＰＳＫトレーニングシーケンスに追加することによって符号化され、追加されるＢＰＳＫ信号が、ＢＰＳＫトレーニングシーケンスの上にＢＰＳＫ信号を追加するか、またはＢＰＳＫトレーニングシーケンスに９０度回転したＢＰＳＫ信号を追加することにより追加される例５の方法。
【０１２５】
７．ワイヤレス伝送がＩＥＥＥ  ８０２．１１ワイヤレス通信であり、ＰＨＹプリアンブルが、少なくともレガシーショートトレーニングフィールドとレガシーロングトレーニングフィールドとを含み、宛先情報および長さ情報が、レガシーロングトレーニングフィールドの一部である例５または例６の方法。
【０１２６】
８．第２ワイヤレスデバイスにより第１ワイヤレス伝送の残りを破棄するステップが、長さ情報に基づいて、第１ワイヤレス伝送の長さにわたりスリープするかまたは低電力状態に入るステップを含む例５〜７のいずれかの方法。
【０１２７】
９．ワイヤレスデバイスによりワイヤレス伝送を受信するステップであって、ワイヤレス伝送が物理層（ＰＨＹ）プリアンブルとＰＨＹデータとを含み、ＰＨＹプリアンブルが、宛先を示す宛先情報と、ワイヤレス伝送の長さを示す長さ情報とを含み、ＰＨＹプリアンブルが、チャネル推定用に構成された部分を含み、宛先情報および長さ情報が、ＰＨＹプリアンブルのチャネル推定用に構成された部分より前に位置するステップと、ワイヤレスデバイスにより、ワイヤレス伝送がワイヤレスデバイスに宛てられたものであることを宛先情報が示しているか否かを判断するステップと、ワイヤレス伝送がワイヤレスデバイスに宛てられたものでないことを宛先情報が示している場合に、ワイヤレスデバイスにより、ワイヤレス伝送の残りを破棄するステップとを含む方法。
【０１２８】
１０．宛先情報および長さ情報が差分的に符号化され、ワイヤレス伝送のチャネル推定用に構成された部分より後ろの部分がコヒーレントに符号化される例９の方法。
【０１２９】
１１．ワイヤレス伝送がＩＥＥＥ  ８０２．１１ワイヤレス通信であり、ＰＨＹプリアンブルが、少なくともレガシーショートトレーニングフィールドとレガシーロングトレーニングフィールドとを含み、宛先情報および長さ情報が、レガシーショートトレーニングフィールドより後ろであり且つレガシーロングトレーニングフィールドより前で提供される例９または例１０の方法。
【０１３０】
１２．第２ワイヤレスデバイスにより第１ワイヤレス伝送の残りを破棄するステップが、長さ情報に基づいて、第１ワイヤレス伝送の長さにわたりスリープするかまたは低電力状態に入るステップを含む例９〜１１のいずれかの方法。
【０１３１】
１３．第１ワイヤレスデバイスにより第１ワイヤレス伝送を実行するステップであって、第１ワイヤレス伝送が物理層（ＰＨＹ）プリアンブルとＰＨＹデータとを含み、ＰＨＹプリアンブルが、第１ワイヤレス伝送の宛先であるデバイスを示す宛先情報と、第１ワイヤレス伝送の長さを示す長さ情報とを含み、ＰＨＹプリアンブルが、チャネル推定用に構成された部分を含み、宛先情報および長さ情報が、ＰＨＹプリアンブルのチャネル推定用に構成された部分より前に位置するステップと、第２ワイヤレスデバイスにより、第１ワイヤレス伝送の少なくとも一部を受信するステップと、第１ワイヤレス伝送が第２ワイヤレスデバイスに宛てられたものでないことを宛先情報が示している場合に、第２ワイヤレスデバイスにより、宛先情報に基づいて、第１ワイヤレス伝送が第２ワイヤレスデバイスに対して意図されたものではないと判断するステップと、第２ワイヤレスデバイスにより、第１ワイヤレス伝送の残りを破棄するステップとを含む方法。
【０１３２】
１４．ワイヤレスデバイスによりワイヤレス伝送を受信するステップであって、ワイヤレス伝送が物理層（ＰＨＹ）プリアンブルとＰＨＹデータとを含み、ＰＨＹプリアンブルが、宛先を示す宛先情報と、ワイヤレス伝送の長さを示す長さ情報とを含むステップと、宛先情報に基づいて、ワイヤレス伝送がワイヤレスデバイスに宛てられたものであるか否かを判断するステップと、ワイヤレス伝送がワイヤレスデバイスに宛てられたものでない場合に、ワイヤレス伝送の残りを破棄するステップとを含む方法。
【０１３３】
１５．ＰＨＹプリアンブルが、チャネル推定用に構成された部分を含み、宛先情報および長さ情報が、ＰＨＹプリアンブルのチャネル推定用に構成された部分より前に位置する例１４の方法。
【０１３４】
１６．宛先情報および長さ情報が差分的に符号化され、ワイヤレス伝送のチャネル推定用に構成された部分より後ろの部分がコヒーレントに符号化される例１４の方法。
【０１３５】
１７．ワイヤレス伝送がＩＥＥＥ  ８０２．１１ワイヤレス通信であり、ＰＨＹプリアンブルが、少なくともレガシーショートトレーニングフィールドとレガシーロングトレーニングフィールドとを含み、宛先情報および長さ情報が、レガシーショートトレーニングフィールドより後ろであり且つレガシーロングトレーニングフィールドより前で提供される例１４〜１６のいずれかの方法。
【０１３６】
１８．第１ワイヤレス伝送の残りを破棄するステップが、長さ情報に基づいて、第１ワイヤレス伝送の長さにわたりスリープするかまたは低電力状態に入るステップを含む例１４〜１７のいずれかの方法。
【０１３７】
１９．宛先情報が、宛先デバイスの部分的な媒体アクセス制御（ＭＡＣ）アドレスまたは宛先デバイスの部分関連ＩＤ（ＰＡＩＤ）のうちの１つを含む例１４〜１８のいずれかの方法。
【０１３８】
２０．長さ情報が、ワイヤレス伝送の長さを１またはバイト単位またはＯＦＤＭシンボル単位で示す例１４〜１９のいずれかの方法。
【０１３９】
２１．ワイヤレス伝送がＩＥＥＥ  ８０２．１１ワイヤレス通信であり、ＰＨＹプリアンブルが、少なくともレガシーショートトレーニングフィールドとレガシーロングトレーニングフィールドとを含み、宛先情報および長さ情報が、レガシーロングトレーニングフィールドの一部である例１４〜１６または１８または１９のいずれかの方法。
【０１４０】
２２．宛先情報および長さ情報が、ＰＨＹプリアンブルの差分的に符号化されるフィールドに含まれ、ＯＦＤＭシンボル宛先情報と長さ情報とが、差分的に符号化されるフィールドで少なくとも２回反復される例１４〜２１のいずれかの方法。
【０１４１】
２３．ＰＨＹプリアンブルのレガシーショートトレーニングフィールドより後ろのフィールドが、レガシーロングトレーニングフィールドであるか、または宛先情報と長さ情報とを含む低エネルギー信号フィールドであるかを判断するステップをさらに含む例１４〜２２のいずれかの方法。
【０１４２】
２４．ＰＨＹプリアンブルのレガシーショートトレーニングフィールドより後ろのフィールドがレガシーロングトレーニングフィールドであるかまたは低エネルギー信号フィールドであるかを判断するステップが、レガシーショートトレーニングフィールドより後ろのフィールドの最初の０．８μｓのサンプルを収集するステップと、レガシーショートトレーニングフィールドより後ろのフィールドの最初の０．８μｓの次の０．８μｓとの自己相関を実行するステップと、自己相関がピークとなる場合に、レガシーショートトレーニングフィールドより後ろのフィールドがレガシーロングトレーニングフィールドであると判断するステップと、自己相関がピークとならない場合に、レガシーショートトレーニングフィールドより後ろのフィールドが低エネルギー信号フィールドであると判断するステップとをさらに含む例２３の方法。
【０１４３】
２５．第１ワイヤレスデバイスによりワイヤレス伝送用の信号を生成するステップであって、信号が物理層（ＰＨＹ）プリアンブルとＰＨＹデータとを含み、ＰＨＹプリアンブルが、ワイヤレス伝送が意図されているデバイスを示す宛先情報と、ワイヤレス伝送の長さを示す長さ情報とを含み、ＰＨＹプリアンブルが、チャネル推定用に構成された部分を含み、宛先情報および長さ情報が、ＰＨＹプリアンブルのチャネル推定用に構成された部分より前に位置するか、またはその部分に含まれるステップと、信号をワイヤレスに伝送するステップとを含む方法。
【０１４４】
２６．宛先情報および長さ情報が、ＰＨＹプリアンブルのチャネル推定用に構成された部分より前に位置し、且つ差分的に符号化され、信号のチャネル推定用に構成された部分より後ろの部分が、コヒーレントに符号化される例２５の方法。
【０１４５】
２７．宛先情報が宛先デバイスの部分関連ＩＤ（ＰＡＩＤ）を含む例２５または例２６の方法。
【０１４６】
２８．信号がＩＥＥＥ  ８０２．１１ワイヤレス通信信号であり、ＰＨＹプリアンブルが、少なくともレガシーショートトレーニングフィールドとレガシーロングトレーニングフィールドとを含み、宛先情報および長さ情報が、レガシーショートトレーニングフィールドより後ろであり且つレガシーロングトレーニングフィールドより前で提供される例２５〜２７のいずれかの方法。
【０１４７】
２９．信号がＩＥＥＥ  ８０２．１１ワイヤレス通信信号であり、ＰＨＹプリアンブルが、少なくともレガシーショートトレーニングフィールドとレガシーロングトレーニングフィールドとを含み、宛先情報および長さ情報が、レガシーロングトレーニングフィールドの一部として提供される例２５〜２７のいずれかの方法。
【０１４８】
３０．ワイヤレスデバイスにより実行される、ワイヤレス伝送を受信するステップであって、ワイヤレス伝送が物理層（ＰＨＹ）プリアンブルとＰＨＹデータとを含み、ＰＨＹプリアンブルがレガシーロングトレーニングフィールド（Ｌ−ＬＴＦ）を含み、Ｌ−ＬＴＦがワイヤレス伝送の制御情報を含むステップと、Ｌ−ＬＴＦフィールドの制御情報を判断するステップと、制御情報に基づいてワイヤレス伝送の受信パラメータを構成するステップとを含む方法。
【０１４９】
３１．Ｌ−ＬＴＦが、チャネル推定用に構成されたＢＰＳＫトレーニングシーケンスを含み、制御情報が、ＢＰＳＫトレーニングシーケンスにＢＰＳＫ信号を追加することにより符号化される例３０の方法。
【０１５０】
３２．制御情報が、ＢＰＳＫトレーニングシーケンスの上にＢＰＳＫ信号を追加することにより符号化される例３１の方法。
【０１５１】
３３．制御情報が、ＢＰＳＫトレーニングシーケンスに９０度回転したＢＰＳＫ信号を追加することにより符号化される例３１の方法。
【０１５２】
３４．制御情報が、ワイヤレス伝送の宛先および長さ情報を含む例３０〜３３のいずれかの方法。
【０１５３】
３５．制御情報が、ワイヤレス伝送のＭＩＭＯ構成情報を含む例３０〜３４のいずれかの方法。
【０１５４】
３６．制御情報が、ワイヤレス伝送がマルチユーザーＭＩＭＯまたはシングルユーザーＭＩＭＯのどちらを使用するかの示唆を含む例３０〜３５のいずれかの方法。
【０１５５】
３７．制御情報が、ワイヤレス伝送に使用される符号化の種類の示唆を含む例３０〜３６のいずれかの方法。
【０１５６】
３８．制御情報が、ワイヤレス伝送の帯域の示唆を含む例３０〜３７のいずれかの方法。
【０１５７】
３９．制御情報が、ワイヤレス伝送に使用される高速フーリエ変換ブロックのサイズの示唆を含む例３０〜３８のいずれかの方法。
【０１５８】
４０．第１ワイヤレスデバイスにより実行される、ワイヤレス伝送の信号を生成するステップであって、信号が物理層（ＰＨＹ）プリアンブルとＰＨＹデータとを含み、ＰＨＹプリアンブルのフィールドが、ワイヤレスデバイスによるチャネル推定用に構成されたトレーニングシーケンスを含み、フィールドが、ワイヤレス伝送の受信パラメータを提供するように構成された制御情報をさらに含むステップと、信号をワイヤレス伝送するステップとを含む方法。
【０１５９】
４１．信号がＩＥＥＥ  ８０２．１１ワイヤレス通信信号であり、フィールドが、ＩＥＥＥ  ８０２．１１ワイヤレス通信信号のＰＨＹプリアンブルのレガシーロングトレーニングフィールド（Ｌ−ＬＴＦ）を含む例４０の方法。
【０１６０】
４２．制御情報が、宛先情報と長さ情報とを伝えるＢＰＳＫ信号をＢＰＳＫトレーニングシーケンスに追加することによって符号化され、追加されるＢＰＳＫ信号が、ＢＰＳＫトレーニングシーケンスの上にＢＰＳＫ信号を追加するか、またはＢＰＳＫトレーニングシーケンスに９０度回転したＢＰＳＫ信号を追加することにより追加される例４０または例４１の方法。
【０１６１】
４３．制御情報が、ワイヤレス伝送が意図されたデバイスを示す宛先情報と、ワイヤレス伝送の長さを示す長さ情報とを含む例４０〜４２のいずれかの方法。
【０１６２】
４４．宛先情報および長さ情報が、ワイヤレス伝送の宛先でないデバイスによってワイヤレス伝送の残りを破棄することを判断するために使用されるように構成されている例４３の方法。
【０１６３】
４５．制御情報が、ワイヤレス伝送の受信のためのＭＩＭＯ構成の示唆、ＳＵ−ＭＩＭＯまたはＭＵ−ＭＩＭＯのどちらを使用するのかの示唆、ワイヤレス伝送に使用される符号化の種類の示唆、ワイヤレス伝送の帯域幅の示唆、およびワイヤレス伝送に使用される高速フーリエ変換（ＦＦＴ）ブロックサイズの示唆の少なくとも１つを含む例４０〜４４のいずれかの方法。
【０１６４】
４６．アンテナと、アンテナに動作可能に接続された処理要素とを含み、処理要素およびアンテナが上述した例１〜４５のいずれかの方法のいずれかまたはすべての部分を実装するように構成されたワイヤレスデバイス。
【０１６５】
４７．ワイヤレス通信用に構成された１つまたは複数のアンテナに接続された１つまたは複数の無線機と、１つまたは複数の無線機に動作可能に接続された処理要素とを含み、上述した例１〜４５のいずれかの方法のいずれかまたはすべての部分を実装するように構成されたワイヤレスユーザー機器（ＵＥ）デバイス。
【０１６６】
４８．デバイスで実行されたときに、上述した例１〜４５のいずれかの方法のいずれかまたはすべての部分をデバイスに実装させるプログラム命令を含む持続性コンピュータアクセス可能メモリ媒体。
【０１６７】
４９．上述した例１〜４５のいずれかの方法のいずれかまたはすべての部分を実行するための命令を含むコンピュータプログラム。
【０１６８】
５０．上述した例１〜４５のいずれかの方法要素のいずれかまたはすべてを実行する手段を含む装置。
【０１６９】
本開示の実施形態は、任意の多様な形式で実現され得る。たとえば、一部の実施形態は、コンピュータにより実装される方法、コンピュータ可読メモリ媒体、またはコンピュータシステムとして実現され得る。他の実施形態は、ＡＳＩＣ等の１つまたは複数の特別設計されたハードウェアデバイスを使用して実現され得る。さらに他の実施形態は、ＦＰＧＡ等の１つまたは複数のプログラム可能ハードウェア要素を使用して実現され得る。
【０１７０】
一部の実施形態では、持続性コンピュータ可読メモリ媒体がプログラム命令および／またはデータを格納するように構成され得り、そのプログラム命令が、コンピュータシステムにより実行された場合に、方法、たとえば本明細書に記載された任意の方法実施形態、本明細書に記載された方法実施形態の任意の組み合わせ、本明細書に記載された任意の方法実施形態の任意のサブセット、またはそのようなサブセットの任意の組み合わせをコンピュータシステムに実行させる。
【０１７１】
一部の実施形態では、デバイス（たとえば、ＳＴＡ）が、プロセッサ（または一群のプロセッサ）とメモリ媒体とを含むように構成され得り、メモリ媒体がプログラム命令を格納し、プロセッサがメモリ媒体からプログラム命令を読み取って実行するように構成され、プログラム命令が、本明細書に記載された任意の多様な方法実施形態（または本明細書に記載された方法実施形態の任意の組み合わせ、本明細書に記載された任意の方法実施形態の任意のサブセット、もしくはそのようなサブセットの任意の組み合わせ）を実装するように実行可能である。デバイスは、任意の多様な形式で実現され得る。
【０１７２】
上記の実施形態について詳しく説明したが、以上の開示を完全に理解することで、多数のバリエーションおよび変更が当業者にとって明らかとなる。以下の特許請求の範囲は、そのようなバリエーションおよび変更をすべて包含すると解釈されることが意図されている。
【図１】
0006010824.tif 000004
【図２】
0006010824.tif 000005
【図３】
0006010824.tif 000006
【図４】
0006010824.tif 000007
【図５】
0006010824.tif 000008
【図６】
0006010824.tif 000009
【図７】
0006010824.tif 000010
【図８】
0006010824.tif 000011
【図９】
0006010824.tif 000012
【図１０】
0006010824.tif 000013
【図１１】
0006010824.tif 000014
【図１２Ａ】
0006010824.tif 000015
【図１２Ｂ】
0006010824.tif 000016
【図１２Ｃ】
0006010824.tif 000017
【図１２Ｄ】
0006010824.tif 000018
【図１３】
0006010824.tif 000019
【図１４】
0006010824.tif 000020
【図１５】
0006010824.tif 000021
【図１６】
0006010824.tif 000022
【図１７】
0006010824.tif 000023
【図１８】
0006010824.tif 000024
【図１９】
0006010824.tif 000025